(57)【要約】  本開示は、アップリンク制御情報（ＵＣＩ）を送信するための、ワイヤレス通信システムにおけるワイヤレスデバイスでの使用のための方法に関する。その方法は、ある数のＵＣＩビットを含むＵＣＩを取得することと、上記ＵＣＩビットを変調シンボルのセットへマッピングすることと、上記変調シンボルの送信のために利用可能な１つ以上の割り当てリソースを少なくとも示すリソース構成を取得することと、上記変調シンボルを、上記１つ以上の割り当てリソースに含まれる割り当てサブキャリアをさらに示す上記リソース構成へマッピングすることと、上記割り当てサブキャリアを用いて、上記変調シンボルを送信すること、を含む。
2020504491.tif 000002
【特許請求の範囲】
【請求項１】
アップリンク制御情報（ＵＣＩ）を送信するための、ワイヤレス通信システムにおけるワイヤレスデバイスでの使用のための方法であって、
ある数のＵＣＩビットを含むＵＣＩを取得すること（７１０）と、
前記ＵＣＩビットを変調シンボル（ＭＳ１〜ＭＳ６）のセットへマッピングすること（７２０）と、
前記変調シンボルの送信のために利用可能な１つ以上の割り当てリソースを少なくとも示すリソース構成を取得すること（７３０）と、
前記変調シンボル（ＭＳ１〜ＭＳ６）を、前記１つ以上の割り当てリソースに含まれる割り当てサブキャリアをさらに示す前記リソース構成へマッピングすること（７４０）と、
前記割り当てサブキャリアを用いて、前記変調シンボルを送信すること（７５０）と、を含む方法。
【請求項２】
請求項１に記載の方法であって、前記変調シンボル（ＭＳ１〜ＭＳ６）をマッピングするステップ（７４０）は、
前記割り当てリソースからリソースセットを選択すること（７４１）と、
前記変調シンボルの送信のために前記リソースセットに含まれるサブキャリアを割り当てること（７４２）と、をさらに含む、方法。
【請求項３】
請求項２に記載の方法であって、前記リソースセットは、単一の物理リソースブロック（ＰＲＢ）を含む、方法。
【請求項４】
請求項２に記載の方法であって、前記リソースセットは、複数のＰＲＢを含む、方法。
【請求項５】
請求項１乃至４のいずれかに記載の方法であって、前記割り当てサブキャリアは、連続的に割り当てられ、又はくし形パターンに従って割り当てられる、方法。
【請求項６】
先行する請求項のいずれかに記載の方法であって、前記変調シンボルを前記リソース構成へマッピングするステップを反復すること、をさらに含み、前記割り当てサブキャリアは、異なる変調シンボル（ＭＳ１〜ＭＳ６）の間で相違する、方法。
【請求項７】
先行する請求項のいずれかに記載の方法であって、前記変調シンボルの送信のために利用可能な前記割り当てリソースは、さらに復調リファレンス信号（ＤＭＲＳ）の送信のために割り当てられる、方法。
【請求項８】
請求項７に記載の方法であって、前記割り当てリソースに含まれる、前記変調シンボルの送信のために使用されるサブキャリア、及び、前記割り当てリソースにさらに含まれる追加的なサブキャリアが、復調リファレンス信号（ＤＭＲＳ）の送信のために使用される、方法。
【請求項９】
請求項７又は８のいずれかに記載の方法であって、ＤＭＲＳの送信のために割り当てられる前記リソースは、前記１つ以上の割り当てリソースに含まれる全てのサブキャリアを含み、又は、ＤＭＲＳの送信のために割り当てられる前記リソースは、前記１つ以上の割り当てリソースに含まれるサブキャリアのサブセットを含み、前記サブセットのサブキャリアは、連続的に割り当てられ、又はくし形パターンに従って割り当てられる、方法。
【請求項１０】
先行する請求項のいずれかに記載の方法であって、前記ＵＣＩビットの符号化、スクランブリング、インターリービング、及びＣＲＣ付加というステップの選択肢のいずれかを実行すること、をさらに含む、方法。
【請求項１１】
先行する請求項のいずれかに記載の方法であって、前記方法は、
前記サブキャリアを割り当てるステップを実行する前に、前記ＵＣＩビットの数が前記リソースセットにより提供されるペイロードビットの数以下であると判定することと、
追加的なペイロードビットを収容するために符号レート又は変調次数を適応させることと、をさらに含む、方法。
【請求項１２】
先行する請求項のいずれかに記載の方法であって、使用されるサブキャリアの数に基づいて、又は割り当てサブキャリアの数に基づいて、変調シンボルの前記セットを変換プリコーディングすること、をさらに含む、方法。
【請求項１３】
ネットワークノード（２００）のための方法であって、
変調シンボルの送信のために少なくとも１つのワイヤレスデバイスにより使用されるべき１つ以上の割り当てリソースを少なくとも示すリソース構成を生成すること（８１０）と、
連続的に割り当てられ、又は前記リソース構成に基づいて割り当てられる変調シンボルであって、少なくとも１つのＰＵＣＣＨへ関連付けられる制御情報（ＵＣＩ）を含む当該変調シンボルを受信すること８２０と、を含む方法。
【請求項１４】
請求項１３に記載の方法であって、前記変調シンボルは、複数のアップリンク制御情報（ＵＣＩ）ビットのセットへマッピングされ、前記ＵＣＩセットは、異なるＰＵＣＣＨへ関連付けられ、及び、前記１つ以上の割り当てリソースのサブキャリアの異なるセット上で受信される、方法。
【請求項１５】
請求項１４のいずれかに記載の方法であって、各ＵＣＩセットが受信される前記サブキャリアは、連続的に割り当てられ、又はくし形パターンに従って割り当てられる、方法。
【請求項１６】
実施形態１４乃至１５のいずれかに記載の方法であって、前記変調シンボルの受信は、前記割り当てリソースから選択されるリソースセットに含まれるサブキャリア上で実行される、方法。
【請求項１７】
請求項１６に記載の方法であって、前記リソースセットは、単一のＰＲＢを含む、方法。
【請求項１８】
請求項１６に記載の方法であって、前記リソースセットは、複数のＰＲＢを含む、方法。
【請求項１９】
ワイヤレス通信ネットワークにおける通信のために構成されるワイヤレスノード（１００）であって、
プロセッサと、
メモリと、を含む回路を備え、前記メモリは、前記プロセッサにより実行可能な命令群を含み、それにより請求項１乃至１２のいずれかの方法を実行するように前記第１のワイヤレスデバイスが動作可能である、ワイヤレスノード。
【請求項２０】
コンピュータ実行可能な命令群が前記ワイヤレスノードに含まれる処理ユニット上で実行された場合に、ワイヤレスデバイスに、請求項１乃至１２のいずれかの方法のステップのいずれかを実行させるための前記コンピュータ実行可能な命令群、を含むコンピュータプログラム。
【請求項２１】
請求項２０に記載のコンピュータプログラムがコンピュータ読取可能な記憶媒体内に具現化された当該コンピュータ読取可能な記憶媒体を含むコンピュータプログラムプロダクト。
【請求項２２】
ワイヤレス通信ネットワークにおける通信のために構成されるネットワークノード（２００）であって、
プロセッサと、
メモリと、を含む回路を備え、前記メモリは、前記プロセッサにより実行可能な命令群を含み、それにより請求項１３乃至１８のいずれかの方法を実行するように前記第１のワイヤレスデバイスが動作可能である、ネットワークノード。
【請求項２３】
コンピュータ実行可能な命令群が前記ワイヤレスデバイスに含まれる処理ユニット上で実行された場合に、ネットワークノードに、請求項１３乃至１８のいずれかの方法のステップのいずれかを実行させるための前記コンピュータ実行可能な命令群、を含むコンピュータプログラム。
【請求項２４】
請求項２３に記載のコンピュータプログラムがコンピュータ読取可能な記憶媒体内に具現化された当該コンピュータ読取可能な記憶媒体を含むコンピュータプログラムプロダクト。
【発明の詳細な説明】
【技術分野】
【０００１】
本開示は、ワイヤレス通信システムのためのワイヤレスデバイス及びネットワークノードに関する。さらに、本開示は、対応する方法、コンピュータプログラム及びコンピュータプログラムプロダクトにも関する。
【背景技術】
【０００２】
ワイヤレス通信ネットワークにおいて、情報は、システムの異なる複数のワイヤレスデバイスの間でワイヤレスに送信される。例えば、情報は、基地局（ＢＳ）などのネットワークノードからユーザ機器（ＵＥ）若しくはワイヤレスデバイスへダウンリンク（ＤＬ）で、又はＵＥ若しくはワイヤレスデバイスからネットワークノード若しくはＢＳへアップリンク（ＵＬ）で送信され得る。情報はデータ及び制御情報の双方であってよく、送信がアップリンクで行われるのか又はダウンリンクで行われるのか、及びその情報がデータを含むのか又は制御情報を含むのかに依存して、その情報を送信するために異なるチャネルが使用され得る。無線アクセス技術（ＲＡＴ）であるＬＴＥ（Long  Term  Evolution）において、例えば、アップリンク制御情報（ＵＣＩ）は、物理アップリンク制御チャネル（ＰＵＣＣＨ）により搬送されることが多いが、ＵＥが何らかのアプリケーションデータ又は無線リソース制御（ＲＲＣ）シグナリングを有する場合、物理アップリンク共有チャネル（ＰＵＳＣＨ）を用いてトランスポートされることもできる。ＬＴＥにおけるＰＵＣＣＨ制御シグナリングチャネルは、ハイブリッド自動再送要求（ＨＡＲＱ）肯定／否定確認応答（ＡＣＫ／ＮＡＣＫ）、チャネル品質情報（ＣＱＩ）チャネル品質インジケータ、複数入力複数出力（ＭＩＭＯ）フィードバック−ＲＩ（ランクインジケータ）、ＰＭＩ（プリコーディング行列インジケータ）、アップリンク送信のためのスケジューリング要求、及びＰＵＣＣＨ変調のために用いられる二位相偏移変調（ＢＰＳＫ）又は四位相偏移変調（ＱＰＳＫ）を含む。モバイル電気通信及びワイヤレス技術の第５世代は、未だ完全には定義されていないが、３ＧＰＰ内で進展したドラフト段階にある。５Ｇワイヤレスアクセスは、主として新たなスペクトルを対象とする新たな無線アクセス技術と組み合わせて、既存のスペクトル向けのＬＴＥを進化させることにより実現されるであろう。よって、それは５Ｇ新無線（ＮＲ）アクセス技術に関する作業を含み、５Ｇ又は次世代（ＮＸ）としても知られている。ＮＲのエアインタフェースは、１ＧＨｚ未満から１００ＧＨｚまでの範囲にわたるスペクトルを対象とし、初期配備はＬＴＥにより利用されていない周波数帯域において予期されている。新たなＮＲ  ＲＡＴに関する作業は進行中であり、情報を送信するためのチャネル及びチャネルフォーマットは今のところ検討中である。
【０００３】
こうしたワイヤレス通信ネットワークにおいて、例えば複数のアップリンク制御情報（ＵＣＩ）ビットを含むＵＣＩといった情報を送信するニーズがしばしば存在する。ＵＣＩは、１つ以上の物理アップリンク制御チャネル（ＰＵＣＣＨ）から、例えば単一のＵＥから発せられ、又は複数のＵＥから多重化され得る。その場合、ＵＣＩは、割り当て済み時間又は周波数リソースを用いて、他のワイヤレスデバイスへ送信されるべきシンボルへマッピングされなければならず、それは例えば、直交周波数分割多重（ＯＦＤＭ）シンボル、又は離散フーリエ変換（ＤＦＴ）拡散（ＤＦＴＳ）直交周波数分割多重−ＯＦＤＭシンボル（ＤＴＴＳ−ＯＦＤＭ）である。
【０００４】
ＬＴＥなどの旧来のシステムは、数多くの予め定義されるＰＵＣＣＨフォーマットを定義することにより、ＵＣＩをシンボルへマッピングする。それら相異なる予め定義されるＰＵＣＣＨフォーマットは、広い範囲のペイロードをカバーし、時にはむしろ類似するペイロードサイズを伴う。これは、ＮＲにとって好適な、ＰＵＣＣＨフォーマットの数を削減することを狙う場合、準最適（sub-optimal）である。
【０００５】
複数のＬＴＥ  ＰＵＣＣＨフォーマットは、ＯＦＤＭシンボルをまたいだブロック拡散に依拠して、ユーザを多重化する。ブロック拡散を適用することのできるＯＦＤＭシンボルの数は、利用可能なＯＦＤＭシンボルの数に依存する。
【０００６】
そうした予め定義されているＬＴＥフォーマットを３ＧＰＰ新無線（ＮＲ）へ適用する場合の問題は、利用可能な又は割り当てられる時間シンボル、例えばＯＦＤＭシンボルの数が変化し得ることである。１つの例において、ＮＲは、７個及び１４個のシンボルのスロット、ＤＬ制御領域あり又は無しのスロット、複信方向の間の拡張されたガード時間を伴うスロット、拡張サイクリックプレフィクスを伴う数値設定（numerologies）を定義する。旧来のＬＴＥの解決策及びシンボルをまたいだブロック拡散ＰＵＣＣＨを適用してＮＲにてユーザを多重化することは、利用可能な又は割り当てられるＯＦＤＭシンボルの数ごとに１つの固有のフォーマットを定義することを要するはずである。これは、複雑性及びＰＵＣＣＨフォーマットの数を実質的に増加させるであろう。
【０００７】
さらなる問題は、異なるユーザへ関連付けられる複数のＰＵＣＣＨの情報を、例えばＵＣＩの形式で、他のワイヤレスデバイスへの送信前に多重化し又は一緒に合成する必要があり得ることである。ＬＴＥは、シンボルをまたいだブロック拡散に依拠するＰＵＣＣＨフォーマットを定義することにより、これを解決している。ブロック拡散を適用することができるとＰＵＣＣＨフォーマットで定められているＯＦＤＭシンボルの数は、利用可能な又は割り当てられるＯＦＤＭシンボルの数に依存する。上記数の利用可能な又は割り当てられるＯＦＤＭシンボルは、物理リソースブロック（ＰＲＢ）などの割り当てられるリソースへマッピングされる。上記解決策は、割り当てられる物理リソースブロック（ＰＲＢ）の数が個々のＰＵＣＣＨフォーマットについて固定されなければならないという不利を有する。
【０００８】
ＬＴＥは、シンボルをまたいだブロック拡散に依拠しないＰＵＣＣＨフォーマットをも定義しており、例えばＰＵＣＣＨフォーマット２／２ａ／２ｂ、４、５である。ＰＵＣＣＨフォーマット２／２ａ／２ｂ及び５は、ＮＲにとって小さすぎるペイロードを提供し、即ち、ＮＲ向けに要するものとして少なすぎるペイロードビットが提供されるという問題を有する。ＬＴＥ  ＰＵＣＣＨフォーマット４のペイロードサイズ（提供されるペイロードビットの数）は、より大きい。フォーマット４は、小さいペイロードビット数から大きいペイロードビット数までの広い範囲を賄うことを必要とするＮＲをサポートする程度まで柔軟では依然としてないという問題を有する。加えて、例えば各ＰＵＣＣＨについて又は関連付けられるユーザについてペイロードが小さいケースにおいて、同一の物理リソースブロック（ＰＲＢ）などの時間−周波数リソースへのユーザの多重化をサポートすることを必要とする。
【０００９】
１つの例において、ＬＴＥでのＰＵＣＣＨフォーマット５は、ＤＦＴＳ−ＯＦＤＭシンボルごとのブロック拡散を用いて２つのユーザに関連付けられるＰＵＣＣＨの多重化を可能にする。しかしながら、ＰＵＣＣＨフォーマット５は、１ＰＲＢという固定的な帯域幅を有し、よって変化するＰＵＣＣＨの数をサポートしない。
【００１０】
よって、レガシーのＬＴＥのＰＵＣＣＨフォーマットをＮＲへ適用する場合などの、説明した欠陥及び問題を軽減し又は解決する解決策を提供するというニーズが存在する。
【発明の概要】
【００１１】
本発明の実施形態の目的は、上述した欠陥及び問題を軽減し又は解決する解決策を提供することである。ここで説明される主題によって、上記の及びさらなる目的が達成される。さらに、本発明の有利な実施形態又は実装形式もまたここで定義される。
【００１２】
本発明の第１の観点によれば、上で言及した及び他の目的は、アップリンク制御情報（ＵＣＩ）を送信するための、ワイヤレス通信システムにおけるワイヤレスデバイスでの使用のための方法で達成され、当該方法は、ある数のＵＣＩビットを含むＵＣＩを取得することと、上記ＵＣＩビットを変調シンボルのセットへマッピングすることと、上記変調シンボルの送信のために利用可能な１つ以上の割り当てリソースを少なくとも示すリソース構成を取得することと、上記変調シンボルを、上記１つ以上の割り当てリソースに含まれる割り当てサブキャリアをさらに示す上記リソース構成へマッピングすることと、上記割り当てサブキャリアを用いて、上記変調シンボルを送信すること、を含む。
【００１３】
本発明の少なくとも１つの利点は、複雑さ及びＰＵＣＣＨフォーマットの数を実質的に削減することができることである。
【００１４】
本発明の実施形態のさらなる応用及び利点が、以下の詳細な説明から明らかとなるであろう。本発明の実施形態のより充分な理解が、１つ以上の実施形態の以下の詳細な説明を考慮することにより、その追加的な利点の理解と共に、当業者にもたらされるであろう。
【図面の簡単な説明】
【００１５】
【図１】本開示の１つ以上の実施形態に係るワイヤレスデバイスのブロック図を示している。
【図２】本開示の１つ以上の実施形態に従って、サブキャリアがどのように連続的に割り当てられ又はくし形パターンに従って割り当てられるかを示している。
【図３】本開示の１つ以上の実施形態に従って割り当てサブキャリアがシンボル間でどのように周波数ホッピングするかを示している。
【図４】本開示の１つ以上の実施形態に従って、復調リファレンス信号がどのように割り当てリソースの全てのサブキャリアへ割り当てられるか及びＵＣＩがどのように割り当てリソースのサブキャリアのサブセットを割り当てられるかを示している。
【図５】本開示のさらなる実施形態に係るワイヤレスデバイスのブロック図を示している。
【図６】本開示の一実施形態に従って複数のＰＵＣＣＨがどのように割り当てリソース上で拡散されるかを示している。
【図７】本開示の１つ以上の実施形態に係る方法のフローチャートを示している。
【図８】本開示に係る方法８００のフローチャートを示している。
【図９】本開示に係る方法９００のフローチャートを示している。
【図１０】本開示に係る方法１０００のフローチャートを示している。
【図１１】本開示の１つ以上の実施形態に係るワイヤレス通信ネットワークにおける通信のために構成されるワイヤレスノードを示している。
【図１２】本開示の１つ以上の実施形態に係るワイヤレスデバイスを示している。
【図１３】本開示の１つ以上の実施形態に係るネットワークノードを示している。
【図１４】本開示の１つ以上の実施形態に係るワイヤレスデバイスを示している。
【図１５】本開示の１つ以上の実施形態に係るネットワークノードを示している。
【００１６】
図面のうちの１つ以上に描かれた類似の要素を識別するために類似の参照番号が使用されていることが認識されるべきである。
【発明を実施するための形態】
【００１７】
本説明及び対応する請求項における“or”は、“and”及び“or”を包含する数学的なＯＲとして理解されるべきであり、ＸＯＲ（排他的ＯＲ）として理解されるべきではない。本開示及び請求項における不定冠詞“ａ”は、“１つ”には限定されず“１つ以上”としても、即ち複数としても理解され得る。
【００１８】
ＮＲの柔軟なフレーム構造に起因して、ＵＬスロットにおけるアップリンク（ＵＬ）送信の時間長は、変化し得る。１つの例において、ＮＲは、異なる複数のスロット長を有し、ＵＬ過多又はＵＬのみのスロットがあり、サイクリックプレフィクスも拡張される。前に議論したように、柔軟なフレーム構造を検討しなければ、利用可能なＯＦＤＭシンボルの数ごとに１つの固有のフォーマットを要することから、ＰＵＣＣＨフォーマットが多数となりかねない。
【００１９】
本開示において、“リソース”との用語が、物理リソースと互換可能に使用されており、情報を送信するために利用可能な、符号、時間及び／又は周波数リソースといったリソースを意味する。物理リソースの一例は、物理リソースブロック（ＰＲＢ）であってよい。
【００２０】
本開示において、ワイヤレスデバイスとの用語が、ワイヤレスノードと互換可能に使用されている。“変調シンボル”との表現は、シンボルマップ又は信号コンステレーション内の位相及び強さの組合せを示すために使用され得る。シンボル又は時間シンボルとの表現は、符号、時間及び／又は周波数リソースといった物理リソースへマッピングされた変調シンボルを示すために使用され得る。
【００２１】
ＬＴＥは、多数のＰＵＣＣＨフォーマットを定義しており、それらは時にはむしろ類似するペイロードサイズを伴う。ＮＲにおいて、ＰＵＣＣＨフォーマットの数を削減することが好適である。
【００２２】
複数のＬＴＥ  ＰＵＣＣＨフォーマットは、ＯＦＤＭシンボルをまたいだブロック拡散に依拠して、ユーザを多重化する。ブロック拡散を適用することのできるＯＦＤＭシンボルの数は、利用可能なＯＦＤＭシンボルの数に依存する。ＮＲでは、利用可能なＯＦＤＭシンボルの数は変化し得る。ＮＲは、７個及び１４個のシンボルのスロット、ＤＬ制御領域あり又は無しのスロット、複信方向の間の拡張されたガード時間を伴うスロット、拡張サイクリックプレフィクスを伴う数値設定といった例を定義している。シンボルをまたいだブロック拡散に依拠することは、利用可能なＯＦＤＭシンボルの数ごとに１つの固有のフォーマットを要するはずであり、これはＰＵＣＣＨフォーマットの数を実質的に増加させるであろう。
【００２３】
時間シンボルをまたいだブロック拡散に依拠しないＬＴＥのＰＵＣＣＨフォーマットは、ＰＵＣＣＨフォーマット２／２ａ／２ｂ、４、５である。ＰＵＣＣＨフォーマット２／２ａ／２ｂ及び５は、ＮＲにとって小さ過ぎるペイロードを提供する。ＰＵＣＣＨフォーマット４のペイロードサイズはより大きいが、小さいペイロードから大きいペイロードまで及び同一の時間−周波数リソースへのユーザの多重化を賄う程度に十分柔軟ではない。
【００２４】
本開示は、中程度から大きいペイロードサイズを提供する、あるＰＵＣＣＨフォーマットを提供する。ＯＦＤＭシンボルをまたいだブロック拡散に依拠するよりもむしろ、１ＯＦＤＭシンボルの範囲内での多重化を提供することにより、同一の時間−周波数リソースへ複数のユーザを多重化することができる。これが、上記フォーマットを、ＰＵＣＣＨフォーマットのために利用可能なＯＦＤＭシンボルには非依存にする。割り当てＰＲＢの数及び／又は変調次数を変化させることにより、異なる複数のペイロードサイズが融通される。
【００２５】
提案されるＰＵＣＣＨ方式を伴う本開示は、広範囲のペイロードをカバーし、及び同一の時間−周波数リソースへのユーザの多重化をも可能にする。このフォーマットは、小さいペイロード向けの他のフォーマットと併せて、ＮＲの全ての所要のＵＣＩペイロードサイズをカバーすることができ、ＬＴＥよりも格段に少ないＰＵＣＣＨフォーマットに帰結する。
【００２６】
言い換えると、本開示の利点は、広範囲のペイロードを提供することである。さらなる利点は、ＰＵＣＣＨフォーマットの数を削減することができることである。本発明のさらなる利点は、同一の時間−周波数リソースへの複数のユーザの多重化が広範囲のペイロードについて可能とされることである。
【００２７】
本開示は、特に中程度から大きいペイロードサイズ又はペイロードビット数について、ＵＬシンボルの数にとらわれないロングＰＵＣＣＨを設計することを提案する。本開示は、さらに、複数のＰＵＣＣＨ又はユーザからの情報の多重化又は合成がシンボルごとの多重化又は合成に依拠すべきであることを提案する。これは、多重化のためにＯＦＤＭシンボルをまたいだブロック拡散に依拠する旧来のＬＴＥの解決策とは対照的である。本開示は、ＰＵＣＣＨフォーマットを、ＰＵＣＣＨのために利用可能なＯＦＤＭシンボルの数には非依存にするという利点を有する。例えば割り当てＰＲＢの数又は変調次数を変化させることにより、異なる複数のペイロードサイズが融通される。
【００２８】
３ＧＰＰでは、例えば、ロング物理アップリンク制御チャネル（ＰＵＣＣＨ）は低ピーク対平均電力比（低ＰＡＰＲ）設計に基づくべきであることが議論された（“RAN1  Chairman’s  Notes”（3GPP  TSG  RAN  WG1  Meeting  #87,  November  2016）参照）。さらに、３ＧＰＰは、ペイロードサイズ又はペイロードビット数に関する制御チャネル符号化方式のためのシミュレーションの前提を最大２００ビットで合意した（“RAN1  Chairman’s  Notes”（3GPP  TSG  RAN  WG1  Meeting  #86,  August  2016）参照）。そうした大きいペイロードサイズをシーケンス変調でサポートすることはできない。本開示は、ＯＦＤＭ又はＤＦＴＳ−ＯＦＤＭ変調をロングＰＵＣＣＨの基礎とし得ることを提案する。数十ビットから数百ビットまでの変化するペイロードサイズに対処するために、ロングＰＵＣＣＨについて異なる複数の帯域幅をサポートすることが必要である。１つの例において、ＬＴＥでのＰＵＣＣＨフォーマット５は、ＤＦＴＳ−ＯＦＤＭシンボルごとのブロック拡散を用いて２ユーザの多重化を可能とし、これはＤＦＴ拡散シンボルをまたいだ依存関係を回避する。しかしながら、ＰＵＣＣＨフォーマット５は、１ＰＲＢという固定的な帯域幅を有する。帯域幅の柔軟性と多重化ケイパビリティとを巧みな手法で一体化するために、本開示は、周波数分割多重化（ＦＤＭ）をＰＵＣＣＨの多重化の基礎とし得ることを提案する。１つの例において、同一のＰＲＢを共有する複数のＰＵＣＣＨは、連続的２２０に、又はくし形のやり方２１０で、ＰＲＢサブキャリア群のある割合を使用し得る。同一のＰＲＢへ割り当てられる複数のＰＵＣＣＨの各々が、異なるくし（comb）を割り当てられてもよい。くし又はくし形パターン２１０は、図２との関連でさらに説明される。
【００２９】
ＬＴＥは、広範囲のペイロードをカバーする多数の異なるＰＵＣＣＨフォーマットを定義している。ＬＴＥにより定義されているその多数の異なるＰＵＣＣＨフォーマットの例は、以下で与えられる。
【００３０】
ＰＵＣＣＨフォーマット１／１ａ／１ｂは、スケジューリング要求及び１ビット若しくは２ビットのＨＡＲＱフィードバックのために使用される。このフォーマットは、低ＰＡＰＲの基底シーケンスを１つのＯＦＤＭシンボルの１２本のサブキャリアへマッピングするシーケンス変調と、時間ドメインのブロック拡散とを使用する。同一の基底シーケンスの異なるサイクリックシフトを異なるユーザに割り当て、及び／又は異なるブロック拡散シーケンスを割り当てることにより、同一の時間−周波数リソースへ異なる複数のユーザを多重化することができる。割り当てられる１２本のサブキャリアは、周波数ダイバーシティを獲得するために、スロット境界において周波数ホッピングする。７つのうちの３つのシンボルが、例えば通常のサイクリックプレフィクスで、リファレンス信号のために使用される。
【００３１】
ＰＵＣＣＨフォーマット２／２ａ／２ｂは、１３ビットまでのＣＱＩのために、及びＨＡＲＱフィードバックを伴うＣＱＩのためにも使用される。ペイロードは、リード・マラー符号化を用いて符号化され、ビットのペアがＱＰＳＫシンボルへマッピングされる。各ＱＰＳＫシンボルは、１つのＯＦＤＭシンボルの１２本のサブキャリアへマッピングされる低ＰＡＰＲの基底シーケンスで乗算される。異なる符号化ビットは異なるＯＦＤＭシンボルを用いて送信され、割り当てられる１２本のサブキャリアは周波数ダイバーシティを獲得するためにスロット境界において周波数ホッピングする。合計で、２０個の符号化ビットが２０個のＯＦＤＭシンボルをまたいでマッピングされる。
【００３２】
ＣＱＩに加えてＨＡＲＱフィードバックをも搬送するフォーマット２ａ／２ｂは、２番目のリファレンス信号を１ビット又は２ビットのＨＡＲＱフィードバックと共に変調する。同一の基底シーケンスの異なるサイクリックシフトを異なるユーザに割り当てることにより、同一の時間−周波数リソースへ複数のユーザを多重化することができる。７つのうちの２つのシンボルが、例えば通常のサイクリックプレフィクスで、リファレンス信号のために使用される。
【００３３】
ＰＵＣＣＨフォーマット３は、１１ビット又は２２ビットまでのペイロードのために使用される。ペイロードは、リード・マラー符号化を用いて符号化され、例えば、１１ビットまで：シングル・リード・マラー符号、２２ビットまで：デュアル・リード・マラー符号である。双方のケースにおいて、４８個の符号化ビットが生成される。シングル・リード・マラー符号のケースでは、ビットが反復される。４８個の符号化ビットは、２４個のＱＰＳＫシンボルへマッピングされる。１２個のＱＰＳＫシンボルは、１番目のスロット内の１２本のサブキャリア上で、他の１２個のＱＰＳＫシンボルは、２番目のスロット内の他の１２本のサブキャリア上で送信される。各スロットは、周波数ダイバーシティを獲得するために周波数ホッピングされ得る。１２個のＱＰＳＫシンボルは、低ＰＡＰＲを獲得するために変換（例えば、ＤＦＴ）プリコーディングされ、１２本のサブキャリア上で送信され、そして、例えばＯＦＤＭシンボルをまたいだブロック拡散で反復される。異なるブロック拡散シーケンスを異なるユーザに割り当てることにより、同一の時間−周波数リソースへ複数のユーザを多重化することができる。７つのうちの２つのシンボルが、例えば通常のサイクリックプレフィクスで、リファレンス信号のために使用される。
【００３４】
ＰＵＣＣＨフォーマット４は、７６８ビットまでのペイロードのために使用され、８個の割り当てＰＲＢと符号レート１／３とを想定している。ペイロードは、テールバイティング畳み込み符号を用いて符号化され、ＱＰＳＫ変調シンボルへマッピングされる。変調シンボルは複数のグループへ区分けされ、各グループはＤＦＴプリコーディングされ及び別個のＯＦＤＭシンボルで送信される。割り当てられるＰＲＢの数を、ペイロードサイズに対し調整することができる。割り当てられるＰＲＢは、周波数ダイバーシティを獲得するために、スロット境界において周波数ホッピングし得る。スロットごとに１つの復調リファレンス信号（ＤＭ−ＲＳ）シンボルが挿入され、即ち、リファレンス信号のために７つのうちの１つのシンボルが使用される（通常サイクリックプレフィクス）。このフォーマットは、同一のリソースへの異なるユーザの多重化をサポートしない。
【００３５】
ＰＵＣＣＨフォーマット５は、ＰＵＣＣＨフォーマット４に非常に似ており、符号レート１／３で４８ビットまでのペイロードサイズをサポートする。ＰＵＣＣＨフォーマット４との相違点は、このフォーマットが、１ＰＲＢという固定的なＰＲＢの割り当てのみをサポートし、同一の時間−周波数リソースへの２ユーザの多重化を可能にすることである。この多重化は、長さ２のシーケンスで６つのＱＰＳＫシンボルをブロック拡散することにより達成され、１２個の変調シンボルに帰着する。そして、それら変調シンボルは、ＤＦＴプリコーダへ入力される。
【００３６】
ＮＲは、異なる複数のスロットフォーマットを定義しており、あるスロットは７個又は１４個のシンボルであってよく、あるスロット長は純粋なＵＬスロットであってもよく若しくはＤＬ制御領域を有してもよく、あるスロット長は複信方向の間の長さの異なるガード期間を収容してもよく、又は、複数のスロットをアグリゲートしてもよく、拡張サイクリックプレフィクスを伴う数値設定はスロットごとのシンボルをより少なくする。これら全ての要因が、ＰＵＣＣＨ送信のために利用可能なＯＦＤＭシンボルの数に影響する。各長さについてＰＵＣＣＨフォーマットを定義することを回避するために、提案される設計は、ユーザを多重化するためにＯＦＤＭシンボルをまたいだブロック拡散を使用しない。
【００３７】
広範囲をカバーするペイロードサイズを有する単一のＰＵＣＣＨフォーマットを有することもまた好適である。提案される方式を可能にすることで、（好適なのは単一の変調次数（ＱＰＳＫ）ではあるものの）異なるＱＡＭ変調次数を使用すること、又は周波数ドメイン（ＰＲＢ）内でより多くの割り当てリソースを使用することができる。
【００３８】
言い換えると、ＰＵＣＣＨ送信のために利用可能な、ＯＦＤＭ又はＤＦＴＳ−ＯＦＤＭシンボルといった時間シンボルの数は変化する。本開示は、変化する符号化用の符号／符号レート、変調次数、（割り当てＰＲＢ内のサブキャリア及び割り当てＰＲＢといった）周波数リソースの数、及び拡散シーケンスを用いることにより、利用可能な時間シンボルの数ごとにＰＵＣＣＨフォーマットを定義することを回避する。
【００３９】
図１は、本開示の１つ以上の実施形態に係るワイヤレスデバイスのブロック図を示している。図１は、ＰＵＣＣＨがＤＦＴＳ−ＯＦＤＭと複数のＰＵＣＣＨの周波数分割多重化（ＦＤＭ）とに基づく好適な実施形態を示している。この好適な実施形態のブロック図が図１に示されている。
【００４０】
ＵＣＩは、随意的なステップにおいて、例えばポーラ（Polar）符号、リード・マラー若しくは他のブロック符号、畳み込み符号、ＬＤＰＣ符号、又はターボ符号で符号化される。そして、符号化ビットは、随意的に、ＯＦＤＭシンボルごとに１つのセットである複数のセットへ区分けされ又は分割される。符号化は、ここでは、必要であればスクランブリング、インターリービング、及び巡回冗長検査（ＣＲＣ）付加をも含むことができる。
【００４１】
図１のブロック図に示したように、ＰＵＣＣＨは、ＤＦＴＳ−ＯＦＤＭ及びＦＤＭに基づく。想定されることとして、ＱＰＳＫ変調が使用され、ＰＲＢの数であるＰＲＢ＃がＰＵＣＣＨの送信のための割り当てリソースとして割り当てられ、ある個数＃ＰＵＣＣＨのＰＵＣＣＨが多重化され得る。
【００４２】
いくつかの実施形態において、符号化は反復ステップを含むことができ、これは、複数のシンボル（例えば、図１のシンボル０〜６）内で又はそれらシンボルを用いて（部分的に）同一の符号化ビットが送信されることを意味する。例えば、スロットのシンボル７〜１３についての符号化ビットシーケンスは、好適な解決策がスロット内の第１部分と第２部分との間の反復ではなく符号化に依拠することであるとしても、シンボル０〜６についてのものと同一であってよい。他の例は、複数のスロットをまたいだＰＵＣＣＨであり、ここでは、同一の反復され符号化されたビットが複数のスロット内で送信されてよい。ペイロードサイズを調整する１つの手法は、この場合、符号レートを調整することである。
【００４３】
１つの例において、符号化ビットのセットは、変調シンボルへマッピングされ、例えばＱＡＭ変調シンボルへマッピングされる。好適には、ＱＰＳＫ変調シンボルのみが使用される。しかしながら、やや好適ではない変形例において、ペイロードサイズを増加させるために、より変調次数の高いシンボルを使用することができる。１つ以上の変調シンボルへのマッピングの後に、変調シンボルは、各ＯＦＤＭシンボルについて１つのグループとして、変調シンボルのグループＭＳ１〜６へ区分けされ得る。変調シンボルの各グループは、次いで、典型的にはＤＦＴを用いて変換プリコーディングされる。プリコーディング演算子のサイズは、この具体的なＰＵＣＣＨのために使用される割り当てサブキャリアの数に等しい。
【００４４】
割り当てられ使用されるサブキャリアの数（よって、シンボルごとの変調シンボルの数）又はＰＲＢの数は、例えば、構成され（例えば、無線リソース制御（ＲＲＣ）シグナリングを介して準静的に構成され）、ダウンリンク制御情報（ＤＣＩ）メッセージにおいて動的に示され、又はそれらの組合せである（例えば、若干数の値をＲＲＣが構成し、ＤＣＩが構成値のうちの１つを選択する）。ユーザのＰＵＣＣＨの多重化が行われない（即ち、大きいペイロードの）場合、割り当てＰＲＢの範囲内の全てのサブキャリアが、大きいペイロードサイズのために１つのＰＵＣＣＨへ割り当てられ、複数のＰＲＢの全てのサブキャリアすら同一のＰＵＣＣＨへ割り当てられてよい。複数のＰＵＣＣＨが多重化される場合、割り当てられたＰＲＢのサブキャリアは、ＦＤＭで複数のＰＵＣＣＨ間で共有される（図２参照）。
【００４５】
図２は、本開示の１つ以上の実施形態に従って、サブキャリアがどのように連続的に割り当てられ又はくし形パターンに従って割り当てられるかを示している。１つのＰＵＣＣＨにより使用されるように割り当てられるサブキャリアは、連続的部分２２０に従って連続的に割り当てられるか、又はくし形パターン２１０に従って割り当てられるかのいずれかであり得る。連続的部分は、例えば、（割り当てＰＲＢ１つのケースにおいて）ＰＵＣＣＨ１向けのサブキャリア０〜２であり、ＰＵＣＣＨ２向けのサブキャリア３〜１１であり得る。割り当てＰＲＢが複数であるケースにおいて、このパターンは、割り当てＰＲＢをまたいで反復されてもよく（これは、ＰＡＰＲを増加させることから、あまり好適ではない）、又は全ての割り当てＰＲＢが１つの周波数ドメインリソースとして見え、連続的部分は、例えば、（２つのＰＲＢがＰＵＣＣＨへ割当て済みであるものとして）ＰＵＣＣＨ１向けにサブキャリア０〜５及びＰＵＣＣＨ２向けにサブキャリア６〜２３のように、この１つのリソースから配分される。くし形のケースでは、割り当てＰＲＢのｋ本毎のサブキャリアが１つのＰＵＣＣＨに割り当てられる。異なる複数のくしの密度、よってペイロード、を多重化できることを注記したい：例えば、ＰＵＣＣＨ１をサブキャリア２ｋへ割り当て、ＰＵＣＣＨ２をサブキャリア１＋４ｋへ割り当て、ＰＵＣＣＨ３をサブキャリア３＋４ｋへ割り当てることができる。図２に関連する例では、２つのくしが使用されている。
【００４６】
くし形パターンのマッピングは、複数のＰＲＢへの一般化に関して有利であるが、割り当てサブキャリアが少なくかつ遠く離れている場合、例えば２本の割り当てサブキャリアが６サブキャリア離れている場合に、相互変調積をもたらしかねない。
【００４７】
複数のＰＵＣＣＨは、（構成によって、ＤＣＩでの指示によって、それらの組合せで）割り当てられる同一のＰＲＢを有し得るが、ＰＵＣＣＨ向けにその別々のサブキャリアを使用し得る。割り当てＰＲＢのうちどのサブキャリアを使用すべきかは、構成されるか、ＤＣＩにおいて示されるか、又はそれらの組合せかのいずれかである。ユーザは、例えば、自身のＰＵＣＣＨ向けのＰＲＢと、構成される複数の異なる使用サブキャリアパターンとを有してもよく、どの使用サブキャリアパターンを使用すべきかをＤＣＩが指し示す。ＵＥが構成される異なる複数の使用サブキャリアパターンは、異なるペイロードサイズを賄うために、同数のサブキャリア又は多様な数のサブキャリアを有し得る。例えばＤＬスケジューリングコマンドから導出される暗黙的な情報（例えば、ＤＣＩを搬送する制御チャネルがどこに位置したか、スケジューリング自体の詳細、例えば、いくつのコンポーネントキャリアがスケジューリングされるか）もまた、ＰＵＣＣＨリソースを左右する。
【００４８】
図３は、本開示の１つ以上の実施形態に従って割り当てサブキャリアがシンボル間でどのように周波数ホッピングするかを示している。（セル間）干渉をランダム化するために、割り当てＰＲＢの範囲内の１つ以上のＰＵＣＣＨへ割り当てられたサブキャリアは、図３に示したようなホッピングパターンに従ってシンボルをまたいで変化し得る。ホッピングパターンは、多重化される全てのＰＵＣＣＨにより共有されなければならず、構成値により初期化される疑似ランダムシーケンスに依存し、又は（仮想）セルＩＤに依存し得る。ホッピングされるサブキャリアが割り当てＰＲＢの範囲内に留まることを確実化するために、総割り当てサブキャリアの数での剰余（mod）演算などの制約演算が行われてもよい。
【００４９】
周波数ダイバーシティを獲得するために、図３において、割り当てＰＲＢがＰＵＣＣＨ時間長の範囲内でホッピングする場合、割り当てＰＲＢはスロットの前半と後半で異なることが好適である。他のホップの配分もまた想起され得るが、各ホップは少なくとも１つのＤＭ−ＲＳを含まなければならない。１つ以上のＰＵＣＣＨが複数スロットにわたる場合、スロットをまたぐのみの周波数ホッピングもまた想起され得る。
【００５０】
（セル間）干渉をランダム化するために、割り当てＰＲＢの範囲内のＰＵＣＣＨへ割り当てられたサブキャリアは、図３に示したようにシンボルをまたいで変化し得る。
【００５１】
図４は、本開示の１つ以上の実施形態に従って、復調リファレンス信号がどのように割り当てリソースの全てのサブキャリアを割り当てられるか及びＵＣＩがどのように割り当てリソースのサブキャリアのサブセットを割り当てられるかを示している。図４において、ＵＣＩは、この例ではくし形パターンで、割り当てＰＲＢのサブキャリアのサブセット上でのみ搬送される。ＤＭ−ＲＳは、割り当てＰＲＢの全てのサブキャリア上で送信される。
【００５２】
図５は、本開示のさらなる実施形態に係るワイヤレスデバイスのブロック図を示している。図５において、ＤＦＴＳ−ＯＦＤＭとＰＵＣＣＨの時間ドメインでの多重化とをＰＵＣＣＨの基礎とする、やや好適ではない実施形態が示されている。図１に関連して示した、前述の方式と比較した重要な相違点は、異なる複数のＰＵＣＣＨの多重化をどのように行い又は実行するかである。図２には、ＤＦＴＳ−ＯＦＤＭ及びＰＵＣＣＨの時間ドメインでの多重化に基づくＰＵＣＣＨのブロック図が示されている。想定されることとして、ＱＰＳＫ変調が使用され、ＰＲＢの数であるＰＲＢ＃がＰＵＣＣＨへ割り当てられ、ある個数＃ＰＵＣＣＨのＰＵＣＣＨが多重化され得る。１つの実施形態において、ユーザは、時間ドメインでのＤＦＴプリコーディングに先立って分離される。例えば、ＤＦＴプリコーダへのｎ個ごとの変調シンボルを１つのＰＵＣＣＨへ、残りのシンボルを別のＰＵＣＣＨへ割り当てることができ、即ち、複数のＰＵＣＣＨが時間ドメインにおいて、くし又はくし形パターンを用いて分離される。第２の実施形態では、時間ドメインの変調シンボルが、ＤＦＴプリコーダ入力ごとに、あり得る一様な又は不規則なパターンで、異なるＰＵＣＣＨへ割り当てられる。但し、双方の実施形態の欠陥は、ＰＵＣＣＨが継続的に又は常に送信されるわけではなく、よってＰＵＣＣＨのエネルギーが最大化されないことである。
【００５３】
従って、図５に示したように、ＤＦＴプリコーダ入力ごとに時間ドメインでＰＵＣＣＨを拡散し又はブロック拡散することが好適である。各ＰＵＣＣＨは、常に送信され、よってエネルギーが最大化される。干渉をランダム化するために、ＰＵＣＣＨへの（ブロック）拡散シーケンスの割り当ては、前のセクションにおいて議論したように、疑似ランダムシーケンスを用いて、ＯＦＤＭシンボルであるシンボル０〜６をまたいで変化し得る。さらに、ＤＭ−ＲＳが、前のセクションでのように生成されてもよい。
【００５４】
図６は、本開示の一実施形態に従って複数のＰＵＣＣＨがどのように割り当てＰＲＢ上で拡散されるかを示している。ＰＵＣＣＨは、ブロック拡散を用いてＤＦＴ拡散シンボルごとに時間ドメインで多重化され得る。この例では、１つのＰＲＢが割り当てられる。図６に見て取れる通りであり得る。
【００５５】
いくつかの実施形態において、本開示を送信ダイバーシティを含むように拡張することができる。前のセクションでは、図１に関連して開示したようなＦＤＭか、又は図５に関連して開示したような時間での（ブロック）拡散かのいずれかを用いるＰＵＣＣＨの多重化方式が議論されている。ＰＵＣＣＨの送信ダイバーシティは、異なるＰＵＣＣＨを異なる周波数ドメインリソース又は（ブロック）拡散シーケンスへマッピングするのではなく、同一のＰＵＣＣＨを、異なるリソースを用いて、例えば異なる周波数ドメインリソース又は時間ドメインの（ブロック）拡散シーケンスを用いて複数回送信することにより、可能とされる。
【００５６】
いくつかの実施形態において、本開示をさらに一般化することができる。ＤＦＴＳ−ＯＦＤＭを用いて概説がなされているものの、同じ原理を、ＯＦＤＭに基づくＰＵＣＣＨへ適用することができる。ＦＤＭ（即ち、各ＰＵＣＣＨが割り当てＰＵＣＣＨ  ＰＲＢのある割合のみを割り当てられる）か又は周波数ドメインでの（ブロック）拡散を用いて、複数のＰＵＣＣＨが、周波数ドメインで１ＯＦＤＭシンボルの範囲内で多重化される。
【００５７】
ここで提示される解決策の重要な観点は、割り当てＰＲＢ及び／又は符号レートを増加させることによりペイロードを増やすことができる、マルチＰＵＣＣＨ多重化ケイパビリティを伴うＰＵＣＣＨ構造である。ＰＵＣＣＨの多重化は、シンボルごとに行われ、即ち、ＯＦＤＭシンボルをまたいだブロック拡散に依拠せず、これが本フォーマットを可変長の送信に良好に適したものにする。ＤＦＴＳ−ＯＦＤＭベースのＰＵＣＣＨについてのＦＤＭ又は時間での（ブロック）拡散、及びＯＦＤＭベースのＰＵＣＣＨについてのＦＤＭ又は周波数での（ブロック）拡散といった、ユーザを多重化するための多様な方式が説明されている。最も重要な実施形態は、次のように要約され得る：
１）ＯＦＤＭ又はＤＦＴＳ−ＯＦＤＭを用いた複数シンボル上でのＰＵＣＣＨ送信、ここで、ＵＣＩはシンボルをまたいで符号化され及び送信される
２）１に加えて、ＯＦＤＭシンボル（のグループ）をまたいだ割り当てＰＲＢの周波数ホッピング
３）１に加えて、割り当て周波数ドメインの割り当て、変調シンボルの次数、又は符号レートを変化させることにより、ペイロードサイズを変更することができる
４）１に加えて、複数のＰＵＣＣＨが１シンボルの範囲内で多重化される
５）（ＤＦＴＳ−ＯＦＤＭ  ＰＵＣＣＨについて）４に加えて、ＦＤＭ又は時間での（ブロック）拡散を用いて多重化が行われる
６）（ＯＦＤＭ  ＰＵＣＣＨについて）４に加えて、ＦＤＭ又は周波数での（ブロック）拡散を用いて多重化が行われる
７）５及び６に加えて、上記割り当て又は（ブロック）拡散シーケンスがシンボルをまたいで変化する
８）４に加えて、ＤＭ−ＲＳがＵＣＩマッピングがなされるものと同数以上のサブキャリアにわたる
９）８に加えて、ＤＭ−ＲＳが異なるくしを用いて又は基底シーケンスのサイクリックシフトを用いて多重化される
１０）９に加えて、ＤＭ−ＲＳリソース（くし、サイクリックシフト）がＤＭ−ＲＳシンボルをまたいで変化する
１１）１に加えて、ＰＵＣＣＨが送信ダイバーシティを用いて送信される
１２）１１に加えて、ＰＵＣＣＨが（上の４及び５との比較で）複数のリソースを用いて送信される。
【００５８】
１つの実施形態において、アップリンク制御情報（ＵＣＩ）を送信するための、ワイヤレス通信システムにおけるワイヤレスデバイスでの使用のための方法は、変調シンボル又はＭＳ１〜ＭＳ６という変調シンボルのグループを、１つ以上の割り当てリソースに含まれる割り当てサブキャリアをさらに示すリソース構成へマッピングすること７４０と、上記割り当てサブキャリアを用いて、上記変調シンボル又は変調シンボルのグループＭＳ１〜ＭＳ６を送信すること７５０と、を含む。
【００５９】
１つの実施形態において、アップリンク制御情報（ＵＣＩ）を送信するための、ワイヤレス通信システムにおけるワイヤレスデバイスでの使用のための方法は、ある数のＵＣＩビットを含むＵＣＩを取得すること７１０と、上記ＵＣＩビットを変調シンボルのセット又は変調シンボルのグループ（ＭＳ１〜ＭＳ６）へマッピングすること７２０と、上記変調シンボルの送信のために利用可能な１つ以上の割り当てリソースを少なくとも示すリソース構成を取得すること７３０と、変調シンボル又は変調シンボルのグループＭＳ１〜ＭＳ６を、１つ以上の割り当てリソースに含まれる割り当てサブキャリアをさらに示すリソース構成へマッピングすること７４０と、上記割り当てサブキャリアを用いて、上記変調シンボル又は変調シンボルのグループを送信すること７５０と、を含む。
【００６０】
図７は、本開示の１つ以上の実施形態に係る方法のフローチャートを示している。上記方法は、ワイヤレス通信ネットワーク３００における通信のために構成されるワイヤレスデバイス１００内に実装され得る。上記方法は、以下を含む：
【００６１】
ステップ７１０：ある数のアップリンク制御情報（ＵＣＩ）ビットを含むＵＣＩを取得。ＵＣＩビットは、単一のＰＵＣＣＨ又は単一のユーザへ関連付けられ得る。ＵＣＩの取得は、例えば、予め定義されるルールに基づいてプロセッサによりＵＣＩを算出すること、ネットワークノード若しくは何らかの他のワイヤレス通信ネットワークデバイスからＵＣＩを受信すること、又はメモリ若しくは他のデジタル記憶媒体からＵＣＩを読み出すことを含み得る。ＰＵＣＣＨのＰＵＣＣＨ情報は、１つ以上のユーザへ関連付けられ得る。１つの例において、ＵＣＩビットは、単一のＰＵＣＣＨ又はユーザへ全て関連付けられる。
【００６２】
一実施形態において、上記方法は、さらに、例えば上述した取得ステップ７１０の一部として、ＵＣＩを符号化すること、をさらに含む。ＵＣＩは、例えばポーラ符号、リード・マラー若しくは当分野で知られている他のブロック符号、畳み込み符号、ＬＤＰＣ符号、又はターボ符号で符号化され得る。ＵＣＩは、関連付けられる符号レートを有する符号により符号化され得る。その符号は、割り当てＰＲＢなどの利用可能な物理リソースへ後にマッピングすることが可能となるサイズを、結果的に生じる符号化ＵＣＩが有するように、選択され得る。その符号は、ＵＣＩビット数に基づいて選択されてもよい。
【００６３】
一実施形態において、結果的に生じるペイロードがＵＣＩビットを収容することを可能にするサイズを有するように、変調次数がさらに選択されてもよい。その変調次数は、ＵＣＩビット数に基づいて選択されてもよい。
【００６４】
１つの実施形態において、ＵＣＩ又はＵＣＩ符号化ビットは、相互排他的なセットへ区分けされ又は分割され、例えばＯＦＤＭ又はＤＦＴＳ−ＯＦＤＭシンボルなどの時間シンボルである各シンボル０〜６について１セットとなる。さらなる実施形態において、上記相互排他的なセットは、以下にさらに説明されるマッピングステップ７２０において、１つ以上の変調シンボル又は変調シンボルのグループへマッピングされる。符号化は、当てはまる場合、スクランブリング、インターリービング、及びＣＲＣ付加をも含み得ることが理解される。
【００６５】
１つ以上の実施形態において、随意的な符号化ステップは、反復を実行することを含んでもよく、これは、少なくとも部分的に、同一の符号化ビットが複数のシンボルにおいて送信されることを意味する。１つの例において、スロットの変調シンボル７〜１３へマッピングされる相互排他的なセットに含まれる符号化ビットシーケンスは、変調シンボル０〜６へマッピングされる同じ相互排他的なセットであり得る。スロット内の第１部分と第２部分との間の反復の代わりに符号化に依拠することが好適な解決策であり得る。反復の他の例は、複数のスロットをまたいでＰＵＣＣＨを反復することである。相互排他的なセットに含まれる同じ符号化ビットシーケンスが、複数のスロットにおいて送信され得る。提供されるペイロードビットの数のペイロードサイズを調整する１つの手法は、例えばＵＣＩビットの数に基づいて、符号化ステップの符号レートを調整することである。
【００６６】
さらなる実施形態において、上記方法は、さらに、ＵＣＩビットのインターリービング及びＣＲＣ付加というステップの選択肢のいずれかをさらに実行すること、を含む。
【００６７】
ステップ７２０：上記方法は、上記ＵＣＩビットを変調シンボルのセットへマッピングすること、をさらに含み得る。そのマッピングは、ＵＣＩビット数に基づいて行われてもよい。ＵＣＩビットのマッピングは、ＵＣＩビットを複数の相互排他的なセットへ分割することと、当該相互排他的なセットの各々を変調シンボルのセットの１つの変調シンボルへマッピングすることと、をさらに含んでもよい。上記変調シンボル又は変調シンボルのグループは、例えば直交振幅変調（ＱＡＭ）、四位相偏移変調（ＱＰＳＫ）などの変調次数といった、いかなる変調次数に含まれてもよい。
【００６８】
一例では、ＱＰＳＫが使用され、４つのシンボル候補が含まれる。ＵＣＩは、２ビットの相互排他的なセットへ分割され、各々がＱＰＳＫにおける４つの利用可能な変調シンボルのうちの１つへマッピングされる。１つの例において、変調シンボルのマッピングは、１つ以上の割り当てＰＲＢのサブキャリアへさらにマッピングされる。
【００６９】
１つのさらなる例において、上記変調シンボルは、ＱＰＳＫ変調シンボルである。代替的に、上記変調シンボルは、例えばペイロードサイズ又は提供されるペイロードビット数を増加させるための、より高次のシンボルである。変調シンボルへのマッピングの後に、変調シンボルは、各ＯＦＤＭシンボルについて１つのグループとして、変調シンボルのグループへ区分けされ得る。変調シンボルの各グループは、随意的に、例えば離散フーリエ変換（ＤＦＴ）を用いて、プリコーディング演算子により変換プリコーディングされてもよい。プリコーディング演算子のサイズは、１つ以上のＰＵＣＣＨについて使用されるサブキャリアの割り当て数に等しくてよい。
【００７０】
ステップ７３０：上記方法は、物理リソースブロック（ＰＲＢ）構成などのリソース構成を取得すること、をさらに含み得る。ＰＲＢ構成は、変調シンボルの送信のために利用可能であり又は割り当てられた時間及び周波数リソースを示し得る。上記リソース構成は、上記変調シンボルの送信のために利用可能なＰＲＢなどの１つ以上の割り当てリソースを少なくとも示し得る。上記リソース構成は、割り当てリソースに含まれるサブキャリアをも示し得る。１つの例において、上記リソース構成は、ＲＲＣシグナリング又は制御シグナリングを含む受信される制御信号に基づく準静的な構成により取得される。さらなる例において、上記リソース構成は、ＤＣＩメッセージでの動的なインジケーションにより取得される。さらなる例において、上記リソース構成は、前述した例の組合せにより取得され、例えば、若干の値を受信されるＲＲＣシグナリングに基づいて構成し、及び１つ以上のＤＣＩメッセージに基づいてその構成値のうちの１つを選択することにより取得される。
【００７１】
ステップ７４０：上記方法は、上記変調シンボル又は変調シンボルのグループを上記リソース構成へマッピングすること、をさらに含み得る。マッピングは、１つの実施形態において、ＵＣＩサイズ又はＵＣＩビット数に依存してもよく、例えば、ＵＣＩからＰＲＢなどの複数のリソースへのマッピングである。
【００７２】
非限定的な一例において、ＵＣＩは、ＱＰＳＫ変調シンボルへ各々マッピングされる２ビットの相互排他的なセットへ分割される。変調シンボルへのマッピングの後に、変調シンボルは、随意的に、例えばＯＦＤＭ又はＤＦＴＳ−ＯＦＤＭシンボルなどの時間シンボルである各ＯＦＤＭシンボルについて１つのグループとして、変調シンボルのグループへ区分けされ得る。変調シンボルの各グループは、随意的に、典型的にはＤＦＴを用いて、プリコーディング演算子又は行列で変換プリコーディングされてもよい。プリコーディング演算子のサイズは、ＰＵＣＣＨを送信するために使用される割り当てサブキャリアの数に等しい。割り当てサブキャリアの数（及び、よってシンボルごとの変調シンボル数）又はＰＲＢ数は、例えばＵＣＩビットの形式の所望のペイロードに基づいて構成される。その構成は、例えば、ＲＲＣシグナリングを介して準静的に行われ、ＤＣＩメッセージにおいて動的に示され、又はそれらの組合せでなされ得る。割り当てＰＲＢの範囲内の全てのサブキャリアがＰＵＣＣＨへ割り当てられてもよく、複数のワイヤレスデバイスから発する複数のＰＵＣＣＨが割り当てＰＲＢに含まれるサブキャリアの重複しないセットへ多重化され若しくは割り当てられてもよい。割り当てサブキャリアは、随意的に、図２に関連して説明したように、連続的部分か又はくし形パターンで配置されるかで割り当てられ得る。別の一実施形態において、サブキャリアは、同一のネットワークノードへ第１のワイヤレスデバイスから送信されるＰＵＣＣＨ１向けにサブキャリア０〜２を割り当て、及び第２のワイヤレスデバイスから送信されるＰＵＣＣＨ２向けにサブキャリア３〜１１を割り当てることにより、連続的部分に割り当てられてもよい。割り当てＰＲＢに含まれるサブキャリアの選択は、前述したように、ＲＲＣ制御シグナリングにより構成されるか、ダウンリンク制御情報（ＤＣＩ）において示されるか、又はそれらの組合せかのいずれかであり得る。ユーザは、例えば、自身のＰＵＣＣＨに対する割り当てＰＲＢと、構成されるある数の異なる使用サブキャリアパターンとを有し得る。そして、どの使用サブキャリアパターンが使用されるべきかをＤＣＩが指し示す。ＵＥが構成される異なる使用サブキャリアパターンは、同数のサブキャリアを有してもよく、又は異なるペイロードサイズを賄うために変化してもよい。例えばＤＬスケジューリングコマンドから導出される暗黙的な情報（例えば、ＤＣＩを搬送する制御チャネルがどこに位置したか、スケジューリング自体の詳細、例えば、いくつのコンポーネントキャリアがスケジューリングされるか）もまた、ＰＲＢ又はそれに含まれるサブキャリアなどのＰＵＣＣＨリソースを（部分的に）決定するために使用されてよい。
【００７３】
随意的なステップ７４１：一実施形態において、上記方法７００は、さらに、上記割り当てリソースからリソースセットを選択することと、例えばシンボルとして又はＯＦＤＭ若しくはＤＦＴＳ−ＯＦＤＭシンボルなどの時間シンボルとして送信される、変調シンボルの送信のために、上記リソースセットに含まれるサブキャリアを割り当てることと、を含む。１つの例において、ＰＲＢ構成は、多様な数のＰＲＢを含む複数のＰＲＢセットを示す。あるＰＲＢセットがデバイスにより選択され、上記変調シンボルの送信のために使用される。そのＰＲＢセットは、単一のＰＲＢ又は複数のＰＲＢを含み得る。１つの例において、１つ以上の割り当てＰＲＢに含まれるサブキャリアのセットが取得され又は選択され、上記変調シンボルは、選択されたセットへマッピングされて、例えばシンボルが、又はＯＦＤＭ若しくはＤＦＴＳ−ＯＦＤＭシンボルなどの時間シンボルが形成される。
【００７４】
随意的なステップ７４２：一実施形態において、上記方法７００は、例えばＵＣＩビット数に基づいて、割り当てリソースからサブキャリアセットを選択すること、をさらに含む。
【００７５】
１つの実施形態において、上記変調シンボルＭＳ１〜ＭＳ６をマッピングするステップ７４０は、
上記割り当てリソースからリソースセットを選択すること７４１と、
上記変調シンボルの送信のために上記リソースセットに含まれるサブキャリアを割り当てること７４２と、をさらに含む。
【００７６】
１つの実施形態において、上記リソースセットは、単一の物理リソースブロック（ＰＲＢ）を含む。
【００７７】
１つの実施形態において、上記リソースセットは、複数のＰＲＢを含む。
【００７８】
ステップ７５０：上記方法は、典型的には上記割り当てサブキャリアを用いて、上記変調シンボルを送信すること、をさらに含み得る。上記変調シンボル又は変調シンボルのグループは、選択された上記サブキャリアセット上で送信されてよく、それは上記リソースセットに含まれるサブキャリア、又は上記リソース構成に含まれるサブキャリアである。上記変調シンボル又は変調シンボルのグループは、ＯＦＤＭシンボルなどのシンボルに含まれてもよい。
【００７９】
一実施形態において、上記方法７００は、上記サブキャリアを割り当てるステップの実行前に、ＵＣＩビット数がリソースセット又は割り当てリソースにより提供されるペイロードビットの数以下であると判定すること、をさらに含む。上記ＵＣＩビット数が割り当てリソースにより提供されるペイロードビット数よりも大きいと判定されると、上記方法は、さらに、ＵＣＩ及び／又はＵＣＩビットを符号化するために使用される符号レートの増加、取得される変調シンボルについて使用される変調次数の増加、又は割り当てリソース内のリソース数の増加のいずれかを行うことをさらに含む。このようにして、ワイヤレスデバイスは、ＵＣＩビットを送信できること、及び必要とする数のリソース、例えばＰＲＢのみが使用されること、を確実化することができる。これは、ワイヤレス通信システムにおける全体的な干渉レベルを少なくとも低減するであろう。
【００８０】
一実施形態において、上記リソース構成は、１つ以上の割り当てリソースに含まれる割り当てサブキャリアをさらに示す。
【００８１】
一例において、ワイヤレスデバイスは、例えばネットワークノードから、又はワイヤレス通信ネットワーク内の任意の他のノードから制御シグナリングを受信する。その制御シグナリングは、割り当てサブキャリアを示し、その割り当てサブキャリアを使用して、変調シンボルを、例えばシンボルとして又はＯＦＤＭ若しくはＤＦＴＳ−ＯＦＤＭシンボルなどの時間シンボルとして送信することになる。
【００８２】
１つの例において、複数のＰＵＣＣＨが割り当てられる同一のＰＲＢを有し得るが、そのＰＵＣＣＨについてその割り当てのうちの異なるサブキャリアを使用する。割り当てられたＰＲＢのうちどのサブキャリアを使用すべきかは、前述したように、受信されるＲＲＣシグナリングに基づいて構成されてもよく、又は１つ以上のＤＣＩメッセージに基づいてもよい。さらなる例において、ユーザは、例えば、自身に関連付けられるＰＵＣＣＨのためのＰＲＢと、構成されるある数の異なる使用サブキャリアパターンとを有してもよい。そして、どの使用サブキャリアパターンが使用されるべきかをＤＣＩが指し示してもよい。ＵＥが構成される異なる使用サブキャリアパターンは、同数のサブキャリアを有してもよく、又は、異なるペイロードサイズ若しくは所要の提供ペイロードサイズを賄うために、サブキャリア数を変化させてもよい。また、例えばＤＬスケジューリングコマンドから導出される暗黙的な情報がＰＵＣＣＨリソースを決定するために使用されてもよい。その暗黙的な情報は、ＤＣＩを搬送する制御チャネルがどこに位置したか、スケジューリング自体の詳細、例えば、いくつのコンポーネントキャリアがスケジューリングされるか、を含んでもよい。
【００８３】
図２を参照すると、サブキャリアは、連続的に割り当てられ、又はくし形パターンに従って割り当てられ得る。くし又はくし形パターンは、図２との関連でさらに説明されている。１つの例において、くし形パターンは、割り当てＰＲＢのｋ個おきのサブキャリアを使用する。１つの例において、ＰＵＣＣＨ１を送信する第１のワイヤレスデバイスは、くし形パターン２ｋのサブキャリアへ割り当てられ得る。ＰＵＣＣＨ２を送信する第２のワイヤレスデバイスは、くし形パターン１＋４ｋのサブキャリアへ割り当てられ得る。ＰＵＣＣＨ３を送信する第３のワイヤレスデバイスは、くし形パターン３＋４ｋのサブキャリアへ割り当てられ得る。図２における例では、２つのくしが使用されている。
【００８４】
１つの実施形態において、上記割り当てサブキャリアは、連続的に割り当てられ、又はくし形パターンに従って割り当てられる。
【００８５】
一実施形態において、上記方法７００は、使用されるサブキャリアの数に基づいて、又は割り当てサブキャリアの数に基づいて、変調シンボルのセット又は変調シンボルのグループを変換プリコーディングすること、をさらに含む。
【００８６】
一実施形態において、上記方法７００は、使用されるサブキャリアの数に基づいて、又は割り当てサブキャリアの数に基づいて、変調シンボルのセット又は変調シンボルのグループを変換プリコーディングすること、をさらに含む。
【００８７】
一実施形態において、上記変調シンボルのセット又は変調シンボルのグループの送信のために利用可能な割り当てＰＲＢは、さらに復調リファレンス信号（ＤＭＲＳ）の送信のために割り当てられる。代替的に、上記割り当てＰＲＢに含まれる、上記変調シンボルの送信のために使用されるサブキャリア、及び、割り当てＰＲＢに含まれる追加的なサブキャリアが、復調リファレンス信号（ＤＭＲＳ）の送信のために使用される。
【００８８】
１つの例において、ＤＭ−ＲＳは、ＵＣＩ用のＰＵＣＣＨにより使用されるものと同じサブキャリアへ割り当てられ又は割り振られる。これは、ＰＵＣＣＨが若干数のサブキャリアのみを使用する場合に（セル間）干渉が高くなり得るという不利を有し得る。さらなる例において、ＰＵＣＣＨのデータ／ＵＣＩに割り当てられるものよりも多くの又は追加的なサブキャリアが、ＤＭ−ＲＳに割り当てられる。これは、もっとも単純なケースでは、（周波数ホッピングの区間ごとに）全ての割り当てＰＲＢの全てのサブキャリアであるはずであり、代替的に高密度のくしである。ユーザの多重化は、複数のくしを用いて、及び／又は、異なるＰＵＣＣＨへ割り当てられる例えば別々にサイクリックシフトされた基底シーケンスであるＣＤＭを用いて行われ得る（全てのＰＵＣＣＨ  ＤＭ−ＲＳは、同一の基底シーケンスを使用し、少なくともそれらはくしを共有する）。くし又はサイクリックシフトは、干渉をさらにランダム化するために、疑似ランダムな手法でＤＭ−ＲＳシンボルをまたいで変化し得る。疑似ランダムシーケンス生成器の初期化は、構成値に基づいてもよく、又は（仮想）セルＩＤに依存してもよい。ノイズ推定を改善するために、使用されるサブキャリアの数に関わらず、ＤＭ−ＲＳ及びＵＣＩが互いに相対的に定義される（例えば、同じ）電力で送信されるということが義務付けられてもよいであろう。
【００８９】
一実施形態において、上記方法７００は、変調シンボルをＰＲＢ構成へマッピングするステップを反復すること、をさらに含み、上記サブキャリアは、異なるシンボル間で相違する。１つの例において、これは、シンボル０及びシンボル１のために異なるサブキャリアを使用することを包含し得る。１つの例において、ＰＵＣＣＨの送信ダイバーシティが、異なるワイヤレスデバイスからの異なるＰＵＣＣＨを異なる周波数ドメインリソース又は（ブロック）拡散シーケンスへマッピングしないことにより可能とされ得る。代わりに、同一のＰＵＣＣＨが、異なるリソースを用いて、例えば異なる周波数ドメインリソース又は（ブロック）拡散シーケンスを用いて複数回送信され得る。
【００９０】
１つの実施形態において、上記方法は、上記変調シンボルを上記リソース構成へマッピングするステップを反復すること、をさらに含み、上記割り当てサブキャリアは、異なる変調シンボル、変調シンボルのグループ又は変調シンボルのグループＭＳ１〜ＭＳ６の間で相違する。
【００９１】
１つの例において、ＰＲＢのセットは、ＵＣＩビット数に基づいて選択されてもよい。一例において、単一のＰＵＣＣＨは、大きいペイロードサイズ又は提供ペイロードビット数を要するＰＵＣＣＨ情報の形式のＵＣＩを含む。複数のＰＲＢの全てのサブキャリアが同一のＰＵＣＣＨへ割り当てられてもよい。言い換えると、図７との関連において説明した方法は、ＵＣＩビットの数がＰＲＢセットにより提供されるペイロードビットの数以下であると判定すること、をさらに含んでよく、当該セットはＰＲＢ構成により示される割り当てＰＲＢから選択される。
【００９２】
一実施形態において、上記方法は、サブキャリアを割り当てるステップを実行する前に、ＵＣＩビットの数が上記リソースセットにより提供されるペイロードビットの数以下であると判定することと、追加的なペイロードビットを収容するように符号レート又は変調次数を適応させることと、をさらに含む。
【００９３】
一例において、ＰＲＢ構成は、変調シンボルの送信のために利用可能であり又は割り当てられるＰＲＢの数Ｍを示す。そして、Ｎ個のＰＲＢのセットにより提供される提供ペイロードビット数がＵＣＩビット数以上となるように、ＵＣＩビット数に基づいて、Ｎ個（Ｎ≦Ｍ）のＰＲＢのセットが選択され得る。図７に関連して説明した方法は、変調シンボルの送信のためのＰＲＢセット全体に含まれるサブキャリアを割り当て又は利用可能にすること、をさらに含み得る。１つの例では、Ｎ個のＰＲＢに含まれる全てのサブキャリアが変調シンボルの送信のために割り当てられる。
【００９４】
図８は、本開示に係る方法８００のフローチャートを示している。方法８００は、ワイヤレス通信ネットワーク３００における通信のために構成されるネットワークノード内に実装され得る。上記方法は、以下を含む：
【００９５】
ステップ８１０：物理リソースブロック（ＰＲＢ）構成などのリソース構成を生成８１０する。上記リソース構成は、変調シンボルの送信のために少なくとも１つのワイヤレスデバイスにより使用されるべき１つ以上の割り当てリソースを少なくとも示し得る。
【００９６】
ステップ８２０：ＰＲＢ構成に基づいて、変調シンボルを受信８２０する。上記変調シンボルは、少なくとも１つの物理アップリンク制御チャネル（ＰＵＣＣＨ）へ関連付けられるアップリンク制御情報（ＵＣＩ）へ復調され得る。上記リソース構成は、１つ以上の割り当てＰＲＢに含まれるサブキャリアをさらに示し得る。上記リソース構成は、図７に関連してさらに説明されている。上記変調シンボルは、図１及び図７に関連してさらに説明した通りの、ＱＡＭ又はＱＰＳＫシンボルであり得る。
【００９７】
一実施形態において、上記方法は、変調シンボルの送信のために少なくとも１つのワイヤレスデバイスにより使用されるべき１つ以上の割り当てリソースを少なくとも示すリソース構成を生成すること８１０と、連続的に割り当てられ又は上記リソース構成に基づいて割り当てられる変調シンボルであって、少なくとも１つのＰＵＣＣＨへ関連付けられる制御情報（ＵＣＩ）を含む当該変調シンボルを受信すること８２０と、を含む。
【００９８】
方法８００の一実施形態において、上記変調シンボルは、複数のアップリンク制御情報（ＵＣＩ）へと復調され又は検出され、各ＵＣＩは、異なるＰＵＣＣＨへ関連付けられ、及び、上記１つ以上の割り当てＰＲＢのサブキャリアの異なるセット上で受信される。
【００９９】
一実施形態において、上記変調シンボルは、複数のアップリンク制御情報（ＵＣＩ）ビットのセットへマッピングされ、当該ＵＣＩセットは、異なるＰＵＣＣＨへ関連付けられ、及び、上記１つ以上の割り当てリソースのサブキャリアの異なるセット上で受信される。
【０１００】
方法８００の一実施形態において、各ＵＣＩが受信される上記サブキャリアは、連続的に割り当てられ、又はくし形パターンに従って割り当てられる。くし形パターンは、図２との関連でさらに説明されている。
【０１０１】
一実施形態において、各ＵＣＩセットが受信される上記サブキャリアは、連続的に割り当てられ、又はくし形パターンに従って割り当てられる。
【０１０２】
方法８００の一実施形態において、上記変調シンボルの受信は、上記割り当てＰＲＢから選択されるＰＲＢセットに含まれるサブキャリア上で実行される。上記サブキャリアは、受信される制御シグナリング、ＵＣＩビット数又はＰＲＢ構成に基づいて選択され得る。上記ＰＲＢ構成は、割り当てサブキャリアの数を示してもよい。上記ＰＲＢセットは、単一のＰＲＢ又は複数のＰＲＢを含む。
【０１０３】
一実施形態において、上記変調シンボルの受信は、上記割り当てリソースから選択されるリソースセットに含まれるサブキャリア上で実行される。
【０１０４】
一実施形態において、上記リソースセットは、単一のＰＲＢを含む。
【０１０５】
一実施形態において、上記リソースセットは、複数のＰＲＢを含む。
【０１０６】
図９は、本開示に係る方法９００のフローチャートを示している。方法９００は、ワイヤレス通信ネットワーク３００における通信のために構成されるワイヤレスデバイス１００内に実装され得る。上記方法は、以下を含む：
【０１０７】
ある数のアップリンク制御情報（ＵＣＩ）ビットを含むＵＣＩを取得９１０する。ＵＣＩを取得する上記ステップは、図７に関連して説明したものと同様のやり方で行われ得る。上記方法は、上記ＵＣＩビットを変調シンボルのセットへマッピングすること９２０、をさらに含み得る。変調シンボルのセットへのＵＣＩビットのマッピングは、図７に関連して説明したものと同様のやり方で行われ得る。上記方法は、少なくとも１つの構成される拡散シーケンスを含む拡散構成を取得すること９２５、をさらに含み得る。拡散構成の取得は、例えば、予め定義されるルールに基づいてプロセッサにより拡散構成を算出すること、ネットワークノード若しくは何らかの他のワイヤレス通信ネットワークデバイスから拡散構成を受信すること、又はメモリ若しくは他のデジタル記憶媒体から拡散構成を読み出すことを含み得る。上記方法は、上記少なくとも１つの構成される拡散シーケンスを用いて、上記変調シンボルを（ブロック）拡散すること９３０、をさらに含み得る。拡散は、図５及び図６に関連してさらに説明されている。上記方法は、拡散した上記変調シンボルを送信すること９５０、をさらに含み得る。
【０１０８】
一実施形態において、方法９００は、図７に関連してさらに説明したように、上記ＵＣＩビットの符号化、スクランブリング、インターリービング、及びＣＲＣ付加というステップの選択肢のいずれかを実行すること、をさらに含む。
【０１０９】
一実施形態において、上記方法は、上記ＵＣＩビットの符号化、スクランブリング、インターリービング、及びＣＲＣ付加というステップの選択肢のいずれかを実行すること、をさらに含む。
【０１１０】
一実施形態において、方法９００は、物理リソースブロック（ＰＲＢ）構成などのリソース構成を取得すること、をさらに含む。上記リソース構成は、上記変調シンボルの送信のために利用可能な１つ以上の割り当てＰＲＢを少なくとも示し得る。上記変調シンボルの拡散は、上記１つ以上の割り当てリソースにわたって実行され得る。
【０１１１】
一実施形態において、方法９００は、上記割り当てリソースからサブキャリアセットを選択することと、選択した当該サブキャリアにわたって上記変調シンボルを拡散することと、をさらに含む。サブキャリアの選択は、図７に関連して説明したものと同様のやり方で行われ得る。
【０１１２】
一実施形態において、方法９００は、例えばプリコーディング行列を用いて、変調シンボルのセットを変換プリコーディングすること、をさらに含む。上記プリコーディング行列のサイズは、使用されるサブキャリアの数に基づき、又は上記ＰＲＢ構成に含まれる割り当てサブキャリアの数に基づいてもよい。上記プリコーディング行列のサイズは、上記拡散構成に含まれる構成される拡散シーケンスの数に基づいてもよい。
【０１１３】
一実施形態において、方法９００は、使用されるサブキャリアの数に基づいて、又は割り当てサブキャリアの数に基づいて、変調シンボルのセットを変換プリコーディングすること、をさらに含む。
【０１１４】
一実施形態において、上記変調シンボルの送信のために利用可能な割り当てリソースは、さらに、復調リファレンス信号（ＤＭＲＳ）の送信のために割り当てられる。一実施形態において、上記割り当てＰＲＢに含まれる、上記変調シンボルの送信のために使用されるサブキャリア、及び、上記割り当てＰＲＢに含まれる追加的なサブキャリアが、復調リファレンス信号（ＤＭＲＳ）の送信のために使用される。復調リファレンス信号の送信は、図４に関連してさらに説明されている。
【０１１５】
１つの実施形態において、上記変調シンボルの送信のために利用可能な割り当てリソースは、さらに復調リファレンス信号（ＤＭＲＳ）の送信のために割り当てられる。
【０１１６】
１つの実施形態において、上記割り当てリソースに含まれる、上記変調シンボルの送信のために使用されるサブキャリア、及び、上記割り当てリソースにさらに含まれる追加的なサブキャリアが、復調リファレンス信号（ＤＭＲＳ）の送信のために使用される。
【０１１７】
１つの実施形態において、ＤＭＲＳの送信のために割り当てられるリソースは、上記１つ以上の割り当てリソースに含まれる全てのサブキャリアを含み、又は、ＤＭＲＳの送信のために割り当てられるリソースは、上記１つ以上の割り当てリソースに含まれるサブキャリアのサブセットを含み、上記サブセットのサブキャリアは、連続的に割り当てられ、又はくし形パターンに従って割り当てられる。
【０１１８】
一実施形態において、上記拡散構成は、複数の構成される拡散シーケンスを含み、方法９００は、変調シンボルのセットを拡散するために構成される拡散シーケンスのセットから１つの構成される拡散シーケンスを選択すること、をさらに含む。１つの構成される拡散シーケンスの上記選択は、ｇＮＢなどのネットワークノードから受信される制御情報に基づいて、又はＵＣＩビット数を示すＵＣＩサイズに基づいて実行され得る。
【０１１９】
一実施形態において、上記変調シンボルを拡散するために使用される上記少なくとも１つの構成される拡散シーケンスは、シンボルをまたいで変化する。
【０１２０】
一実施形態において、方法９００は、拡散した変調シンボルの変換を実行すること、をさらに含む。１つの例において、ＤＦＴ変換が実行される。
【０１２１】
図１０は、本開示に係る方法１０００のフローチャートを示している。方法１０００は、ワイヤレス通信ネットワーク３００における通信のために構成されるネットワークノード内に実装され得る。上記方法は、少なくとも１つの構成される拡散シーケンスを含み又は示す拡散構成を生成すること１０１０、を含む。上記方法は、上記拡散構成に基づいて変調シンボルを受信すること１０２０、をさらに含み得る。上記変調シンボルは、さらに、少なくとも１つのＰＵＣＣＨへ関連付けられるアップリンク制御情報（ＵＣＩ）へ復調され又は検出され得る。
【０１２２】
一実施形態において、上記変調シンボルは、複数のアップリンク制御情報（ＵＣＩ）へ復調され、各ＵＣＩは、異なるＰＵＣＣＨへ関連付けられ、及び、異なる拡散シーケンスを用いて受信される。１つの例において、各変調シンボルは復調され、結果として生じる復調ビットは一意なＰＵＣＣＨ又はＰＵＣＣＨを表すＰＵＣＣＨアイデンティティへ関連付けられる。そして、関連付けられる上記復調ビットをＵＣＩへ合成することができ、各ＵＣＩはＰＵＣＣＨ又はＰＵＣＣＨアイデンティティへ関連付けられる。
【０１２３】
１つの実施形態において、方法１０００は、上記変調シンボルの送信のために利用可能な１つ以上の割り当て物理リソースブロック（ＰＲＢ）を少なくとも示すＰＲＢ構成を生成すること、をさらに含む。上記変調シンボルの受信は、１つ以上の割り当てＰＲＢ上で、又は１つ以上の割り当てＰＲＢに含まれるサブキャリア上で実行され得る。
【０１２４】
図１１は、ワイヤレス通信ネットワークにおける通信のために構成されるワイヤレスノードを示している。ワイヤレスデバイスは、プロセッサ及びメモリを含む回路を備え、上記メモリは、上記プロセッサにより実行可能な命令群を含み、それによりここで説明した実施形態のいずれかの方法を実行するように第１のワイヤレスデバイスが動作可能である。プロセッサ１０２は、送受信機１０４へ通信可能に連結される。さらに、ワイヤレスデバイス１００は、図１１に示したように、１つ以上の随意的なアンテナ１０８をさらに含み得る。アンテナ１０８は、送受信機１０４へ連結され、ワイヤレス通信システムにおいてワイヤレス信号Ｓを送信し、放射し及び／又は受信するよう構成され、例えばワイヤレス信号Ｓ内のシンボルに含まれるＵＣＩ及び／又は当該シンボルとして含まれるＵＣＩを送信するように構成される。上記プロセッサ及び／又はプロセッサユニットは、例えば、処理回路、中央処理ユニット、処理モジュール及び／又は互いに協働するように構成される複数のプロセッサであってもよい。上記回路は、メモリ１０６をさらに含み得る。上記メモリは、ここで説明した方法を実行するためにプロセッサ１０２により実行可能な命令群を含み得る。上記プロセッサは、送受信機１０４及びメモリ１０６のうちのいずれか又は全てへ通信可能に連結され得る。本開示において、ワイヤレスデバイス１００は、ワイヤレスノード、ユーザ機器（ＵＥ）、ワイヤレス端末、モバイルフォン、スマートフォン、ネットワークノード、ネットワーク制御ノード、ネットワークアクセスノード、アクセスポイント、又は例えば無線基地局（ＲＢＳ）などの基地局への言及であってよく、基地局は、使用される技術及び専門用語に依存して、いくつかのネットワークにおいて、送信機、“ｇＮＢ”、“ｅＮＢ”、“ｅＮｏｄｅＢ”、“ノードＢ”又は“Ｂノード”として言及されてもよい。ワイヤレスデバイス又はワイヤレスノードは、送信電力及びそれによるセルサイズにも基づいて、例えばマクロｅＮｏｄｅＢ、ホームｅＮｏｄｅＢ、又はピコ基地局といった様々なクラスのものであってよい。ワイヤレスノードは、８０２．１１アクセスポイント又はステーション（ＳＴＡ）であってもよく、これはワイヤレス媒体（ＷＭ）に対するＩＥＥＥ８０２．１１準拠のメディアアクセス制御（ＭＡＣ）及び物理レイヤ（ＰＨＹ）インタフェースを含む任意のデバイスである。ワイヤレスデバイス１００は、しかしながら、上で言及したワイヤレスデバイス及び／又はワイヤレスノードには限定されない。
【０１２５】
ネットワークノードは、図１１に関連して説明したような特徴の全て又は選択されるいくつかを含み得る。ネットワークノードは、使用される技術及び専門用語に依存して、送信機、“ｇＮＢ”、“ｅＮＢ”、“ｅＮｏｄｅＢ”、“ノードＢ”又は“Ｂノード”として言及されてもよい。
【０１２６】
一実施形態において、ワイヤレスノード１００は、ワイヤレス通信ネットワークにおける通信のために提供され及び構成され、プロセッサ及びメモリを含む回路を備え、上記メモリは、上記プロセッサにより実行可能な命令群を含み、それによりここで説明した方法のいずれかを実行するように第１のワイヤレスノード１００が動作可能である。
【０１２７】
一実施形態において、コンピュータプログラムは、コンピュータ実行可能な命令群がワイヤレスノードに含まれる処理ユニット上で実行された場合に、ワイヤレスノード１００に、ここで説明した方法のいずれを実行させるための上記コンピュータ実行可能な命令群、を含む。
【０１２８】
一実施形態において、コンピュータプログラムプロダクトは、上記コンピュータプログラムがコンピュータ読取可能な記憶媒体内に具現化された当該コンピュータ読取可能な記憶媒体を含む。
【０１２９】
一実施形態において、ワイヤレス通信ネットワークにおける通信のために構成されるネットワークノード２００は、プロセッサと、メモリと、を含む回路を備え、上記メモリは、上記プロセッサにより実行可能な命令群を含み、それによりここで説明した方法のいずれかを実行するように第１のネットワークノード２００が動作可能である。
【０１３０】
一実施形態において、コンピュータプログラムは、コンピュータ実行可能な命令群がネットワークノードに含まれる処理ユニット上で実行された場合に、上記ネットワークノードに、ここで説明した方法のいずれを実行させるための上記コンピュータ実行可能な命令群、を含む。
【０１３１】
一実施形態において、コンピュータプログラムプロダクトは、上記コンピュータプログラムがコンピュータ読取可能な記憶媒体内に具現化された当該コンピュータ読取可能な記憶媒体を含む。
【０１３２】
一実施形態において、コンピュータプログラムが提供され、コンピュータ実行可能な命令群がワイヤレスデバイスに含まれる処理ユニット上で実行された場合に、上記ワイヤレスデバイスに、ここで説明した方法のステップのいずれを実行させるための上記コンピュータ実行可能な命令群、を含む。上記コンピュータプログラムは、コンピュータプログラムプロダクトのコンピュータ読取可能な媒体に含まれる。コンピュータ読取可能な媒体は、ＲＯＭ（Read-Only  Memory）、ＰＲＯＭ（Programmable  Read-Only  Memory）、ＥＰＲＯＭ（Erasable  PROM）、フラッシュメモリ、ＥＥＰＲＯＭ（Electrically  Erasable  PROM）又はハードディスクドライブなど、本質的にはいかなるメモリを含んでもよい。
【０１３３】
一実施形態において、コンピュータプログラムプロダクトは、上述したコンピュータプログラムがコンピュータ読取可能な記憶媒体内に具現化された当該コンピュータ読取可能な記憶媒体を含む。
【０１３４】
図１２は、本発明に係るワイヤレスデバイスを示している。ネットワークノードとインタラクションするワイヤレスデバイスは、
ある数のアップリンク制御情報（ＵＣＩ）ビットを含むＵＣＩを取得するための第１取得モジュール１２１０と、
上記ＵＣＩビットを変調シンボルのセットへマッピングするための第１マッピングモジュール１２２０と、
上記変調シンボルの送信のために利用可能な１つ以上の割り当てリソースを少なくとも示す、物理リソースブロック（ＰＲＢ）構成などのリソース構成を取得するための第２取得モジュール１２３０と、
上記変調シンボルを上記リソース構成へマッピングするための第２マッピングモジュール１２４０と、を備える。
【０１３５】
図１３は、本発明に係るネットワークノードを示している。ワイヤレスデバイスとインタラクションするネットワークノードは、
変調シンボルの送信のために少なくとも１つのワイヤレスデバイスにより使用されるべき１つ以上の割り当てリソースを少なくとも示す、物理リソースブロック（ＰＲＢ）構成などのリソース構成を生成するための第１生成モジュール１３１０と、
上記リソース構成に基づいて、変調シンボルを受信するための第１受信モジュール１３２０と、を備え、上記変調シンボルは、少なくとも１つのＰＵＣＣＨへ関連付けられるアップリンク制御情報（ＵＣＩ）へ復調される。
【０１３６】
図１４は、本発明に係るワイヤレスデバイスを示している。ネットワークノードとインタラクションするワイヤレスデバイスは、
ある数のアップリンク制御情報（ＵＣＩ）ビットを含むＵＣＩを取得するための第３取得モジュール１４１０と、
上記ＵＣＩビットを変調シンボルのセットへマッピングするための第３マッピングモジュール１４２０と、
少なくとも１つの構成される拡散シーケンスを含む拡散構成を取得するための第４取得モジュール１４３０と、
上記少なくとも１つの構成される拡散シーケンスを用いて、上記変調シンボルを拡散するための拡散モジュール１４４０と、を備える。
【０１３７】
図１５は、本発明に係るネットワークノードを示している。ワイヤレスデバイスとインタラクションするネットワークノードは、
少なくとも１つの構成される拡散シーケンスを含む拡散構成を生成するための第２生成モジュール１５１０と、
上記拡散構成に基づいて、変調シンボルを受信するための第２受信モジュール１５２０と、を備え、上記変調シンボルは、少なくとも１つのＰＵＣＣＨへ関連付けられるアップリンク制御情報（ＵＣＩ）へ復調される。
【０１３８】
そのうえ、当業者により理解されることとして、ワイヤレスデバイス１００は、本解決策を実行するための例えば機能、手段、ユニット、要素などの形式の必要な通信ケイパビリティを含み得る。他のそうした手段、ユニット、要素及び機能の例は、本解決策を実行するために併せて適切に配置される、プロセッサ、メモリ、バッファ、制御ロジック、エンコーダ、デコーダ、レートマッチング器、逆レートマッチング器、マッピングユニット、乗算器、決定ユニット、選択ユニット、スイッチ、インターリーバ、逆インターリーバ、変調器、復調器、入力、出力、アンテナ、増幅器、受信機ユニット、送信機ユニット、ＤＳＰ、ＭＳＤ、ＴＣＭエンコーダ、ＴＣＭデコーダ、電力供給ユニット、電力フィーダ、通信インタフェース、通信プロトコルなどである。
【０１３９】
例えば提示したワイヤレスデバイス１００のプロセッサは、例えば、中央処理ユニット（ＣＰＵ）、処理ユニット、処理回路、プロセッサ、特定用途向け集積回路（ＡＳＩＣ）、マイクロプロセッサ又は命令群を解釈し及び実行し得る他の処理ロジックのうちの１つ以上の例を含む。“プロセッサ”との表現は、よって、上で言及したもののいずれか、いくつか又は全てといったように複数の処理回路を含む処理回路を表し得る。上記処理回路は、呼処理制御又はユーザインタフェース制御などといった、データバッファリング及びデバイス制御機能を含むデータの入力、出力及び処理のためのデータ処理機能をさらに実行し得る。
【０１４０】
最後に、理解されるべきこととして、本開示は、上述した実施形態には限定されず、添付の独立請求項のスコープの範囲内の全ての実施形態にも関連し及びそれらを取り入れる。
【０１４１】
実施形態１：ワイヤレスデバイスのための方法であって、
ある数のアップリンク制御情報（ＵＣＩ）ビットを含むＵＣＩを取得すること７１０と、
前記ＵＣＩビットを変調シンボルのセットへマッピングすること７２０と、
前記変調シンボルの送信のために利用可能な１つ以上の割り当て物理リソースブロック（ＰＲＢ）を少なくとも示すＰＲＢ構成を取得すること７３０と、
前記変調シンボルを前記ＰＲＢ構成へマッピングすること７４０と、を含む方法。
【０１４２】
実施形態２：実施形態１に記載の方法であって、前記ＵＣＩビットの符号化、インターリービング、及びＣＲＣ付加というステップの選択肢のいずれかを実行すること、をさらに含む、方法。
【０１４３】
実施形態３：実施形態１乃至２に記載の方法であって、
前記割り当てＰＲＢからＰＲＢセットを選択することと、
前記変調シンボルの送信のために前記ＰＲＢセットに含まれるサブキャリアを割り当てることと、をさらに含む、方法。
【０１４４】
実施形態４：実施形態３に記載の方法であって、前記ＰＲＢセットは、単一のＰＲＢを含む、方法。
【０１４５】
実施形態５：実施形態３に記載の方法であって、前記ＰＲＢセットは、複数のＰＲＢを含む、方法。
【０１４６】
実施形態６：実施形態３乃至５のいずれかに記載の方法であって、前記方法は、
前記サブキャリアを割り当てるステップを実行する前に、前記ＵＣＩビットの数が前記ＰＲＢセットにより提供されるペイロードビットの数以下であると判定すること、をさらに含む、方法。
【０１４７】
実施形態７：先行する実施形態のいずれかに記載の方法であって、前記ＰＲＢ構成は、前記１つ以上の割り当てＰＲＢに含まれる割り当てサブキャリアをさらに示し、前記方法は、
前記割り当てサブキャリアを用いて、前記変調シンボルを送信すること、をさらに含む、方法。
【０１４８】
実施形態８：実施形態３乃至７のいずれかに記載の方法であって、前記サブキャリアは、連続的に割り当てられ、又はくし形パターンに従って割り当てられる、方法。
【０１４９】
実施形態９：先行する実施形態のいずれかに記載の方法であって、使用されるサブキャリアの数に基づいて、又は割り当てサブキャリアの数に基づいて、変調シンボルの前記セットを変換プリコーディングすること、をさらに含む、方法。
【０１５０】
実施形態１０：先行する実施形態のいずれかに記載の方法であって、前記変調シンボルの送信のために利用可能な前記割り当てＰＲＢは、さらに復調リファレンス信号（ＤＭＲＳ）の送信のために割り当てられる、方法。
【０１５１】
実施形態１１：実施形態１０に記載の方法であって、前記割り当てＰＲＢに含まれる、前記変調シンボルの送信のために使用されるサブキャリア、及び、前記割り当てＰＲＢに含まれる追加的なサブキャリアが、復調リファレンス信号（ＤＭＲＳ）の送信のために使用される、方法。
【０１５２】
実施形態１２：実施形態３乃至１１のいずれかに記載の方法であって、前記変調シンボルを前記ＰＲＢ構成へマッピングするステップを反復すること、をさらに含み、前記サブキャリアは、異なるシンボル間で相違する、方法。
【０１５３】
実施形態１３：ネットワークノードのための方法であって、
変調シンボルの送信のために少なくとも１つのワイヤレスデバイスにより使用されるべき１つ以上の割り当て物理リソースブロック（ＰＲＢ）を少なくとも示すＰＲＢ構成を生成すること８１０と、
前記ＰＲＢ構成に基づいて、変調シンボルを受信すること８２０と、を含み、前記変調シンボルは、少なくとも１つのＰＵＣＣＨへ関連付けられるアップリンク制御情報（ＵＣＩ）へ復調される、方法。
【０１５４】
実施形態１４：実施形態１３に記載の方法であって、前記変調シンボルは、複数のアップリンク制御情報（ＵＣＩ）へマッピングされ、各ＵＣＩは、異なるＰＵＣＣＨへ関連付けられ、及び、前記１つ以上の割り当てＰＲＢのサブキャリアの異なるセット上で受信される、方法。
【０１５５】
実施形態１５：実施形態１４に記載の方法であって、各ＵＣＩが受信される前記サブキャリアは、連続的に割り当てられ、又はくし形パターンに従って割り当てられる、方法。
【０１５６】
実施形態１６：実施形態１３乃至１５のいずれかに記載の方法であって、前記変調シンボルの受信は、前記割り当てＰＲＢから選択されるＰＲＢセットに含まれるサブキャリア上で実行される、方法。
【０１５７】
実施形態１７：実施形態１６に記載の方法であって、前記ＰＲＢセットは、単一のＰＲＢを含む、方法。
【０１５８】
実施形態１８：実施形態１６に記載の方法であって、前記ＰＲＢセットは、複数のＰＲＢを含む、方法。
【０１５９】
実施形態１９：ワイヤレスデバイスのための方法であって、
ある数のアップリンク制御情報（ＵＣＩ）ビットを含むＵＣＩを取得すること９１０と、
前記ＵＣＩビットを変調シンボルのセットへマッピングすること９２０と、
少なくとも１つの構成される拡散シーケンスを含む拡散構成を取得することと、
前記少なくとも１つの構成される拡散シーケンスを用いて、前記変調シンボルを拡散すること９３０と、を含む方法。
【０１６０】
実施形態２０：実施形態１９に記載の方法であって、前記ＵＣＩビットの符号化、インターリービング、及びＣＲＣ付加というステップの選択肢のいずれかを実行すること、をさらに含む、方法。
【０１６１】
実施形態２１：先行する実施形態のいずれかに記載の方法であって、前記変調シンボルの送信のために利用可能な１つ以上の割り当て物理リソースブロック（ＰＲＢ）を少なくとも示すＰＲＢ構成を取得すること、をさらに含み、前記変調シンボルの拡散は、前記１つ以上の割り当てＰＲＢ上で実行される、方法。
【０１６２】
実施形態２２：先行する実施形態のいずれかに記載の方法であって、
前記割り当てＰＲＢからサブキャリアセットを選択することと、
選択した前記サブキャリア上で、前記変調シンボルを拡散すること、をさらに含む、方法。
【０１６３】
実施形態２３：先行する実施形態のいずれかに記載の方法であって、変調シンボルの前記セットを変換プリコーディングすること、をさらに含み、
前記プリコーディングの行列サイズは、使用されるサブキャリアの数に基づき、又は前記ＰＲＢ構成に含まれる割り当てサブキャリアの数に基づき、又は、
前記プリコーディングの行列サイズは、前記拡散構成に含まれる構成される拡散シーケンスの数に基づく、方法。
【０１６４】
実施形態２４：実施形態２１乃至２３のいずれかに記載の方法であって、
前記変調シンボルの送信のために利用可能な前記割り当てＰＲＢは、さらに復調リファレンス信号（ＤＭＲＳ）の送信のために割り当てられ、又は、
前記割り当てＰＲＢに含まれる、前記変調シンボルの送信のために使用されるサブキャリア、及び、前記割り当てＰＲＢに含まれる追加的なサブキャリアが、復調リファレンス信号（ＤＭＲＳ）の送信のために使用される、方法。
【０１６５】
実施形態２５：先行する実施形態のいずれかに記載の方法であって、前記拡散構成は、複数の構成される拡散シーケンスを含み、前記方法は、変調シンボルの前記セットを拡散するために構成される拡散シーケンスの前記セットから１つの構成される拡散シーケンスを選択すること、をさらに含む、方法。
【０１６６】
実施形態２６：実施形態２５に記載の方法であって、１つの構成される拡散シーケンスの前記選択は、ｇＮＢから受信される制御情報に基づいて、又はＵＣＩビットの前記数を示すＵＣＩサイズに基づいて実行される、方法。
【０１６７】
実施形態２７：先行する実施形態のいずれかに記載の方法であって、前記変調シンボルを拡散するために使用される前記少なくとも１つの構成される拡散シーケンスは、シンボルをまたいで変化する、方法。
【０１６８】
実施形態２８：先行する実施形態のいずれかに記載の方法１０００であって、前記方法は、拡散した前記変調シンボルの変換を実行すること、をさらに含む、方法。
【０１６９】
実施形態２９：ネットワークノードのための方法であって、
少なくとも１つの構成される拡散シーケンスを含む拡散構成を生成すること１０１０と、
前記拡散構成に基づいて、変調シンボルを受信すること１０２０と、を含み、前記変調シンボルは、少なくとも１つのＰＵＣＣＨへ関連付けられるアップリンク制御情報（ＵＣＩ）へ復調される、方法。
【０１７０】
実施形態３０：実施形態２９に記載の方法であって、前記変調シンボルは、複数のアップリンク制御情報（ＵＣＩ）へ復調され、各ＵＣＩは、異なるＰＵＣＣＨへ関連付けられ、及び、異なる拡散シーケンスを用いて受信される、方法。
【０１７１】
実施形態３１：先行する実施形態のいずれかに記載の方法であって、前記変調シンボルの送信のために利用可能な１つ以上の割り当て物理リソースブロック（ＰＲＢ）を少なくとも示すＰＲＢ構成を生成すること、をさらに含み、前記変調シンボルの受信は、前記１つ以上の割り当てＰＲＢ上で実行される、方法。
【０１７２】
実施形態３２：ワイヤレス通信ネットワークにおける通信のために構成されるワイヤレスノードであって、
プロセッサと、
メモリと、を含む回路を備え、前記メモリは、前記プロセッサにより実行可能な命令群を含み、それにより実施形態１乃至１２又は１９乃至２８のいずれかの前記方法を実行するように前記第１のワイヤレスデバイスが動作可能である、ワイヤレスノード。
【０１７３】
実施形態３３：コンピュータ実行可能な命令群が前記ワイヤレスノードに含まれる処理ユニット上で実行された場合に、ワイヤレスデバイスに、実施形態１乃至１２又は１９乃至２８のいずれかの前記方法のステップのいずれかを実行させるための前記コンピュータ実行可能な命令群、を含むコンピュータプログラム。
【０１７４】
実施形態３４：実施形態３３に記載のコンピュータプログラムがコンピュータ読取可能な記憶媒体内に具現化された当該コンピュータ読取可能な記憶媒体を含むコンピュータプログラムプロダクト。
【０１７５】
実施形態３５：ワイヤレス通信ネットワークにおける通信のために構成されるネットワークノードであって、
プロセッサと、
メモリと、を含む回路を備え、前記メモリは、前記プロセッサにより実行可能な命令群を含み、それにより実施形態１３乃至１８又は２９乃至３１のいずれかの前記方法を実行するように前記第１のワイヤレスデバイスが動作可能である、ネットワークノード。
【０１７６】
実施形態３６：コンピュータ実行可能な命令群が前記ワイヤレスデバイスに含まれる処理ユニット上で実行された場合に、ネットワークノードに、実施形態１３乃至１８又は２９乃至３１のいずれかの前記方法のステップのいずれかを実行させるための前記コンピュータ実行可能な命令群、を含むコンピュータプログラム。
【０１７７】
実施形態３７：実施形態３６に記載のコンピュータプログラムがコンピュータ読取可能な記憶媒体内に具現化された当該コンピュータ読取可能な記憶媒体を含むコンピュータプログラムプロダクト。
【０１７８】
実施形態３８：ワイヤレスデバイスであって、前記ワイヤレスデバイスは、ネットワークノードとインタラクションし、
ある数のアップリンク制御情報（ＵＣＩ）ビットを含むＵＣＩを取得するための第１取得モジュールと、
前記ＵＣＩビットを変調シンボルのセットへマッピングするための第１マッピングモジュールと、
前記変調シンボルの送信のために利用可能な１つ以上の割り当て物理リソースブロック（ＰＲＢ）を少なくとも示すＰＲＢ構成を取得するための第２取得モジュールと、
前記変調シンボルを前記ＰＲＢ構成へマッピングするための第２マッピングモジュールと、を備えるワイヤレスデバイス。
【０１７９】
実施形態３９：ネットワークノードであって、前記ネットワークノードは、ワイヤレスデバイスとインタラクションし、
変調シンボルの送信のために少なくとも１つのワイヤレスデバイスにより使用されるべき１つ以上の割り当て物理リソースブロック（ＰＲＢ）を少なくとも示すＰＲＢ構成を生成するための第１生成モジュールと、
前記ＰＲＢ構成に基づいて、変調シンボルを受信するための第１受信モジュールと、を備え、前記変調シンボルは、少なくとも１つのＰＵＣＣＨへ関連付けられるアップリンク制御情報（ＵＣＩ）へ復調される、ネットワークノード。
【０１８０】
実施形態４０：ワイヤレスデバイスであって、前記ワイヤレスデバイスは、ネットワークノードとインタラクションし、
ある数のアップリンク制御情報（ＵＣＩ）ビットを含むＵＣＩを取得するための第３取得モジュールと、
前記ＵＣＩビットを変調シンボルのセットへマッピングするための第３マッピングモジュールと、
少なくとも１つの構成される拡散シーケンスを含む拡散構成を取得するための第４取得モジュールと、
前記少なくとも１つの構成される拡散シーケンスを用いて、前記変調シンボルを拡散するための拡散モジュールと、を備えるワイヤレスデバイス。
【０１８１】
実施形態４１：ネットワークノードであって、前記ネットワークノードは、ワイヤレスデバイスとインタラクションし、
少なくとも１つの構成される拡散シーケンスを含む拡散構成を生成するための生成モジュールと、
前記拡散構成に基づいて、変調シンボルを受信するための第２受信モジュールと、を備え、前記変調シンボルは、少なくとも１つのＰＵＣＣＨへ関連付けられるアップリンク制御情報（ＵＣＩ）へ復調される、ネットワークノード。
【図１】
2020504491.tif 000003
【図２】
2020504491.tif 000004
【図３】
2020504491.tif 000005
【図４】
2020504491.tif 000006
【図５】
2020504491.tif 000007
【図６】
2020504491.tif 000008
【図７】
2020504491.tif 000009
【図８】
2020504491.tif 000010
【図９】
2020504491.tif 000011
【図１０】
2020504491.tif 000012
【図１１】
2020504491.tif 000013
【図１２】
2020504491.tif 000014
【図１３】
2020504491.tif 000015
【図１４】
2020504491.tif 000016
【図１５】
2020504491.tif 000017
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
アップリンク制御情報（ＵＣＩ）を送信するための、ワイヤレス通信システムにおけるワイヤレスデバイスでの使用のための方法であって、
ある数のＵＣＩビットを含むＵＣＩを取得すること（７１０）と、
前記ＵＣＩビットを変調シンボル（ＭＳ１〜ＭＳ６）のセットへマッピングすること（７２０）と、
前記変調シンボルの送信のために利用可能な１つ以上の割り当てリソースを少なくとも示すリソース構成を取得すること（７３０）と、
前記変調シンボル（ＭＳ１〜ＭＳ６）を、前記１つ以上の割り当てリソースに含まれる割り当てサブキャリアをさらに示す前記リソース構成へマッピングすること（７４０）と、
前記割り当てサブキャリアを用いて、前記変調シンボルを送信すること（７５０）と、を含む方法。
【請求項２】
請求項１に記載の方法であって、前記変調シンボル（ＭＳ１〜ＭＳ６）をマッピングするステップ（７４０）は、
前記割り当てリソースからリソースセットを選択すること（７４１）と、
前記変調シンボルの送信のために前記リソースセットに含まれるサブキャリアを割り当てること（７４２）と、をさらに含む、方法。
【請求項３】
請求項２に記載の方法であって、前記リソースセットは、単一の物理リソースブロック（ＰＲＢ）又は複数のＰＲＢを含む、方法。
【請求項４】
請求項１乃至３のいずれか１項に記載の方法であって、前記割り当てサブキャリアは、連続的に割り当てられ、又はくし形パターンに従って割り当てられる、方法。
【請求項５】
請求項１乃至４のいずれか１項に記載の方法であって、前記変調シンボルを前記リソース構成へマッピングするステップを反復すること、をさらに含み、前記割り当てサブキャリアは、異なる変調シンボル（ＭＳ１〜ＭＳ６）の間で相違する、方法。
【請求項６】
請求項１乃至５のいずれか１項に記載の方法であって、前記変調シンボルの送信のために利用可能な前記割り当てリソースは、さらに復調リファレンス信号（ＤＭＲＳ）の送信のために割り当てられる、方法。
【請求項７】
請求項６に記載の方法であって、前記割り当てリソースに含まれる、前記変調シンボルの送信のために使用されるサブキャリア、及び、前記割り当てリソースにさらに含まれる追加的なサブキャリアが、復調リファレンス信号（ＤＭＲＳ）の送信のために使用される、方法。
【請求項８】
請求項６又は７に記載の方法であって、ＤＭＲＳの送信のために割り当てられる前記リソースは、前記１つ以上の割り当てリソースに含まれる全てのサブキャリアを含み、又は、ＤＭＲＳの送信のために割り当てられる前記リソースは、前記１つ以上の割り当てリソースに含まれるサブキャリアのサブセットを含み、前記サブセットのサブキャリアは、連続的に割り当てられ、又はくし形パターンに従って割り当てられる、方法。
【請求項９】
請求項１乃至８のいずれか１項に記載の方法であって、前記ＵＣＩビットの符号化、スクランブリング、インターリービング、及びＣＲＣ付加というステップの選択肢のいずれかを実行すること、をさらに含む、方法。
【請求項１０】
請求項１乃至９のいずれか１項に記載の方法であって、前記方法は、
前記サブキャリアを割り当てるステップを実行する前に、前記ＵＣＩビットの数が前記割り当てリソースから選択されるリソースセットにより提供されるペイロードビットの数以下であると判定することと、
追加的なペイロードビットを収容するために符号レート又は変調次数を適応させることと、をさらに含む、方法。
【請求項１１】
請求項１乃至１０のいずれか１項に記載の方法であって、使用されるサブキャリアの数に基づいて、又は割り当てサブキャリアの数に基づいて、変調シンボルの前記セットを変換プリコーディングすること、をさらに含む、方法。
【請求項１２】
ネットワークノード（２００）のための方法であって、
変調シンボルの送信のために少なくとも１つのワイヤレスデバイスにより使用されるべき１つ以上の割り当てリソースを少なくとも示すリソース構成を生成すること（８１０）と、
連続的に割り当てられ、又は前記リソース構成に基づいて割り当てられる変調シンボルであって、少なくとも１つのＰＵＣＣＨへ関連付けられるアップリンク制御情報（ＵＣＩ）を含む当該変調シンボルを受信すること（８２０）と、を含む方法。
【請求項１３】
請求項１２に記載の方法であって、前記変調シンボルは、複数のアップリンク制御情報（ＵＣＩ）ビットのセットへマッピングされ、前記ＵＣＩビットのセットは、異なるＰＵＣＣＨへ関連付けられ、及び、前記１つ以上の割り当てリソースのサブキャリアの異なるセット上で受信される、方法。
【請求項１４】
請求項１３に記載の方法であって、各ＵＣＩセットが受信される前記サブキャリアは、連続的に割り当てられ、又はくし形パターンに従って割り当てられる、方法。
【請求項１５】
請求項１３又は１４に記載の方法であって、前記変調シンボルの受信は、前記割り当てリソースから選択されるリソースセットに含まれるサブキャリア上で実行される、方法。
【請求項１６】
請求項１５に記載の方法であって、前記リソースセットは、単一のＰＲＢ又は複数のＰＲＢを含む、方法。
【請求項１７】
ワイヤレス通信ネットワークにおける通信のために構成されるワイヤレスノード（１００）であって、
プロセッサと、
メモリと、を含む回路を備え、前記メモリは、前記プロセッサにより実行可能な命令群を含み、それにより請求項１乃至１１のいずれか１項の方法を実行するように前記ワイヤレスノードが動作可能である、ワイヤレスノード。
【請求項１８】
コンピュータ実行可能な命令群がワイヤレスノードに含まれる処理ユニット上で実行された場合に、前記ワイヤレスノードに、請求項１乃至１１のいずれか１項の方法のステップのいずれかを実行させるための前記コンピュータ実行可能な命令群、を含むコンピュータプログラム。
【請求項１９】
ワイヤレス通信ネットワークにおける通信のために構成されるネットワークノード（２００）であって、
プロセッサと、
メモリと、を含む回路を備え、前記メモリは、前記プロセッサにより実行可能な命令群を含み、それにより請求項１２乃至１６のいずれか１項の方法を実行するように前記ネットワークノードが動作可能である、ネットワークノード。
【請求項２０】
コンピュータ実行可能な命令群がネットワークノードに含まれる処理ユニット上で実行された場合に、前記ネットワークノードに、請求項１２乃至１６のいずれか１項の方法のステップのいずれかを実行させるための前記コンピュータ実行可能な命令群、を含むコンピュータプログラム。
【国際調査報告】
2020504491.tif 000018
2020504491.tif 000019
2020504491.tif 000020
2020504491.tif 000021
2020504491.tif 000022